(57)【要約】【課題】高品質なスリットランプ顕微鏡検査を広く提供する。【解決手段】例示的な実施形態のスリットランプ顕微鏡は、照明系と、撮影系と、移動機構とを含む。照明系は、被検眼の前眼部にスリット光を照射する。撮影系は、スリット光が照射されている前眼部からの光を導く光学系と、この光学系により導かれた光を撮像面で受光する撮像素子とを含む。移動機構は、照明系及び撮影系を移動する。照明系の光軸に沿う物面と光学系と撮像面とは、シャインプルーフの条件を満足する。撮影系は、移動機構による照明系及び撮影系の移動と並行して繰り返し撮影を行うことにより前眼部の複数の画像を取得する。【選択図】図１
2019213729.tif 000002
【特許請求の範囲】
【請求項１】
被検眼の前眼部にスリット光を照射する照明系と、
前記スリット光が照射されている前記前眼部からの光を導く光学系と、前記光学系により導かれた前記光を撮像面で受光する撮像素子とを含む撮影系と、
前記照明系及び前記撮影系を移動する移動機構と
を含み、
前記照明系の光軸に沿う物面と前記光学系と前記撮像面とがシャインプルーフの条件を満足し、
前記撮影系は、前記移動機構による前記照明系及び前記撮影系の移動と並行して繰り返し撮影を行うことにより前記前眼部の複数の画像を取得する
ことを特徴とするスリットランプ顕微鏡。
【請求項２】
前記撮影系は、
前記スリット光が照射されている前記前眼部からの光を導く第１光学系と、前記第１光学系により導かれた前記光を第１撮像面で受光する第１撮像素子とを含み、前記移動と並行して繰り返し撮影を行うことにより第１画像群を取得する第１撮影系と、
前記スリット光が照射されている前記前眼部からの光を導く第２光学系と、前記第２光学系により導かれた前記光を第２撮像面で受光する第２撮像素子とを含み、前記移動と並行して繰り返し撮影を行うことにより第２画像群を取得する第２撮影系と
を含み、
前記第１光学系の光軸と前記第２光学系の光軸とは、互いに異なる向きに配置されており、
前記物面と前記第１光学系と前記第１撮像面とがシャインプルーフの条件を満足し、且つ、前記物面と前記第２光学系と前記第２撮像面とがシャインプルーフの条件を満足する
ことを特徴とする請求項１に記載のスリットランプ顕微鏡。
【請求項３】
前記第１光学系の光軸と前記第２光学系の光軸とは、前記照明系の光軸に対して互いに反対の方向に傾斜して配置されており、
前記第１撮影系及び前記第２撮影系により実質的に同時に取得された２つの画像のいずれかにアーティファクトが含まれるか判定し、前記２つの画像のうちの一方の画像にアーティファクトが含まれると判定されたときに他方の画像を選択する画像選択部を更に含む
ことを特徴とする請求項２に記載のスリットランプ顕微鏡。
【請求項４】
前記画像選択部により前記第１画像群及び前記第２画像群から選択された画像を含む画像群に基づいて３次元画像を構築する３次元画像構築部を更に含む
ことを特徴とする請求項３に記載のスリットランプ顕微鏡。
【請求項５】
前記第１撮影系及び前記第２撮影系により実質的に同時に取得された２つの画像を比較することにより前記２つの画像のいずれかにアーティファクトが含まれるか判定し、前記２つの画像のいずれかにアーティファクトが含まれると判定されたときに当該アーティファクトを除去するアーティファクト除去部を更に含む
ことを特徴とする請求項２に記載のスリットランプ顕微鏡。
【請求項６】
前記アーティファクト除去部によりアーティファクトが除去された画像を含む画像群に基づいて３次元画像を構築する３次元画像構築部を更に含む
ことを特徴とする請求項５に記載のスリットランプ顕微鏡。
【請求項７】
前記移動機構は、前記照明系の光軸を回転軸として前記照明系及び前記撮影系を一体的に回転する回転機構を含み、
前記照明系及び前記撮影系が第１回転位置に配置されているときに、前記撮影系は、前記複数の画像を取得し、
前記第１回転位置と異なる第２回転位置に前記照明系及び前記撮影系が配置されているときに、前記撮影系は、前記照明系によりスリット光が照射されている前記前眼部の画像を取得し、
前記３次元画像構築部は、前記第２回転位置において取得された前記画像に基づいて前記複数の画像の相対位置を決定する画像位置決定部を含む
ことを特徴とする請求項４又は６に記載のスリットランプ顕微鏡。
【請求項８】
前記照明系及び前記撮影系は、少なくとも角膜前面及び水晶体後面により画成される部位に前記撮影系のピントが合うように構成されている
ことを特徴とする請求項１〜７のいずれかに記載のスリットランプ顕微鏡。
【請求項９】
前記照明系は、被検者の体軸方向を長手方向とするスリット光を前記前眼部に照射し、
前記移動機構は、前記体軸方向に直交する方向に前記照明系及び前記撮影系を移動する
ことを特徴とする請求項１〜８のいずれかに記載のスリットランプ顕微鏡。
【請求項１０】
前記スリット光の長さは、前記体軸方向における角膜径以上であり、
前記移動機構による前記照明系及び前記撮影系の移動距離は、前記体軸方向に直交する方向における角膜径以上である
ことを特徴とする請求項９に記載のスリットランプ顕微鏡。
【請求項１１】
前記撮影系に含まれる前記光学系は、
前記スリット光が照射されている前記前眼部からの光であって、前記照明系の光軸から離れる方向に進行する光を、前記照明系の光軸に近づく方向に反射する反射器と、
前記反射器により反射された前記光を前記撮像面に結像させる１以上のレンズと
を含む
ことを特徴とする請求項１〜１０のいずれかに記載のスリットランプ顕微鏡。
【請求項１２】
スリットランプ顕微鏡と、
通信回線を介して前記スリットランプ顕微鏡に接続されており、前記スリットランプ顕微鏡により取得された被検眼の前眼部の画像を処理する情報処理装置と
を含み、
前記スリットランプ顕微鏡は、
被検眼の前眼部にスリット光を照射する照明系と、
前記スリット光が照射されている前記前眼部からの光を導く光学系と、前記光学系により導かれた前記光を撮像面で受光する撮像素子とを含む撮影系と、
前記照明系及び前記撮影系を移動する移動機構と
を含み、
前記照明系の光軸に沿う物面と前記光学系と前記撮像面とがシャインプルーフの条件を満足し、
前記撮影系は、前記移動機構による前記照明系及び前記撮影系の移動と並行して繰り返し撮影を行うことにより前記前眼部の複数の画像を取得する
眼科システム。
【請求項１３】
前記スリットランプ顕微鏡の前記撮影系は、
前記スリット光が照射されている前記前眼部からの光を導く第１光学系と、前記第１光学系により導かれた前記光を第１撮像面で受光する第１撮像素子とを含み、前記移動と並行して繰り返し撮影を行うことにより第１画像群を取得する第１撮影系と、
前記スリット光が照射されている前記前眼部からの光を導く第２光学系と、前記第２光学系により導かれた前記光を第２撮像面で受光する第２撮像素子とを含み、前記移動と並行して繰り返し撮影を行うことにより第２画像群を取得する第２撮影系と
を含み、
前記第１光学系の光軸と前記第２光学系の光軸とは、互いに異なる向きに配置されており、
前記物面と前記第１光学系と前記第１撮像面とがシャインプルーフの条件を満足し、且つ、前記物面と前記第２光学系と前記第２撮像面とがシャインプルーフの条件を満足する
ことを特徴とする請求項１２に記載の眼科システム。
【請求項１４】
前記第１光学系の光軸と前記第２光学系の光軸とは、前記照明系の光軸に対して互いに反対の方向に傾斜して配置されており、
前記情報処理装置は、前記第１撮影系及び前記第２撮影系により実質的に同時に取得された２つの画像のいずれかにアーティファクトが含まれるか判定し、前記２つの画像のうちの一方の画像にアーティファクトが含まれると判定されたときに他方の画像を選択する画像選択部を含む
ことを特徴とする請求項１３に記載の眼科システム。
【請求項１５】
前記情報処理装置は、前記画像選択部により前記第１画像群及び前記第２画像群から選択された画像を含む画像群に基づいて３次元画像を構築する３次元画像構築部を含む
ことを特徴とする請求項１４に記載の眼科システム。
【請求項１６】
前記情報処理装置は、前記第１撮影系及び前記第２撮影系により実質的に同時に取得された２つの画像を比較することにより前記２つの画像のいずれかにアーティファクトが含まれるか判定し、前記２つの画像のいずれかにアーティファクトが含まれると判定されたときに当該アーティファクトを除去するアーティファクト除去部を含む
ことを特徴とする請求項１３に記載の眼科システム。
【請求項１７】
前記情報処理装置は、前記アーティファクト除去部によりアーティファクトが除去された画像を含む画像群に基づいて３次元画像を構築する３次元画像構築部を含む
ことを特徴とする請求項１６に記載の眼科システム。
【発明の詳細な説明】
【技術分野】
【０００１】
本発明は、スリットランプ顕微鏡及び眼科システムに関する。
【背景技術】
【０００２】
眼科分野において画像診断は重要な位置を占める。画像診断では、各種の眼科撮影装置が用いられる。眼科撮影装置には、スリットランプ顕微鏡、眼底カメラ、走査型レーザー検眼鏡（ＳＬＯ）、光干渉断層計（ＯＣＴ）などがある。また、レフラクトメータ、ケラトメータ、眼圧計、スペキュラーマイクロスコープ、ウェーブフロントアナライザ、マイクロペリメータなどの各種の検査装置や測定装置にも、前眼部や眼底を撮影する機能が搭載されている。
【０００３】
これら様々な眼科装置のうち最も広く且つ頻繁に使用される装置の一つがスリットランプ顕微鏡である。スリットランプ顕微鏡は、スリット光で被検眼を照明し、照明された断面を側方から顕微鏡で観察したり撮影したりするための眼科装置である（例えば、特許文献１、２を参照）。
【０００４】
角膜や水晶体など前眼部の観察や診断には、一般的にスリットランプ顕微鏡が用いられる。例えば、医師は、スリット光による照明野やフォーカス位置を移動させつつ診断部位全体を観察して異常の有無を判断する。また、コンタクトレンズのフィッティング状態の確認など、視力補正器具の処方において、スリットランプ顕微鏡が用いられることもある。更に、オプトメトリストのように医師以外の資格を持つ者や、眼鏡店の店員などが、眼疾患のスクリーニング等の目的でスリットランプ顕微鏡を用いることもある。
【０００５】
ところで、近年の情報通信技術の進歩を受けて、遠隔医療技術に関する研究開発が発展を見せている。遠隔医療とは、インターネット等の情報技術を利用して、遠隔地に居る患者に対して診療を行う行為である。特許文献３、４にはスリットランプ顕微鏡を遠隔地から操作するための技術が開示されている。
【０００６】
しかしながら、スリットランプを用いて良好な画像を得るには、照明角度や撮影角度の調整など、微細で煩雑な操作が必要とされる。特許文献３、４に開示された技術では、目の前に居る被検者の眼を観察する場合でも難しい操作を、遠隔地に居る検者が実施しなければならないため、検査時間が長くなったり、良好な画像が得られなかったりといった問題が生じる。
【０００７】
また、上記のようにスリットランプ顕微鏡はスクリーニング等の検査に有効であるが、同装置に関する専門技術の保持者が不足しており、高品質な検査を多くの人に提供することができないという現状がある。
【先行技術文献】
【特許文献】
【０００８】
【特許文献１】特開２０１６−１５９０７３号公報
【特許文献２】特開２０１６−１７９００４号公報
【特許文献３】特開２０００−１１６７３２号公報
【特許文献４】特開２００８−２８４２７３号公報
【発明の概要】
【発明が解決しようとする課題】
【０００９】
本発明の目的は、高品質なスリットランプ顕微鏡検査を広く提供することを可能にすることにある。
【課題を解決するための手段】
【００１０】
例示的な実施形態の第１の態様は、被検眼の前眼部にスリット光を照射する照明系と、前記スリット光が照射されている前記前眼部からの光を導く光学系と前記光学系により導かれた前記光を撮像面で受光する撮像素子とを含む撮影系と、前記照明系及び前記撮影系を移動する移動機構とを含み、前記照明系の光軸に沿う物面と前記光学系と前記撮像面とがシャインプルーフの条件を満足し、前記撮影系は、前記移動機構による前記照明系及び前記撮影系の移動と並行して繰り返し撮影を行うことにより前記前眼部の複数の画像を取得することを特徴とするスリットランプ顕微鏡である。
【００１１】
例示的な実施形態の第２の態様は、第１の態様のスリットランプ顕微鏡であって、前記撮影系は、前記スリット光が照射されている前記前眼部からの光を導く第１光学系と、前記第１光学系により導かれた前記光を第１撮像面で受光する第１撮像素子とを含み、前記移動と並行して繰り返し撮影を行うことにより第１画像群を取得する第１撮影系と、前記スリット光が照射されている前記前眼部からの光を導く第２光学系と、前記第２光学系により導かれた前記光を第２撮像面で受光する第２撮像素子とを含み、前記移動と並行して繰り返し撮影を行うことにより第２画像群を取得する第２撮影系とを含み、前記第１光学系の光軸と前記第２光学系の光軸とは、互いに異なる向きに配置されており、前記物面と前記第１光学系と前記第１撮像面とがシャインプルーフの条件を満足し、且つ、前記物面と前記第２光学系と前記第２撮像面とがシャインプルーフの条件を満足することを特徴とする。
【００１２】
例示的な実施形態の第３の態様は、第２の態様のスリットランプ顕微鏡であって、前記第１光学系の光軸と前記第２光学系の光軸とは、前記照明系の光軸に対して互いに反対の方向に傾斜して配置されており、前記第１撮影系及び前記第２撮影系により実質的に同時に取得された２つの画像のいずれかにアーティファクトが含まれるか判定し、前記２つの画像のうちの一方の画像にアーティファクトが含まれると判定されたときに他方の画像を選択する画像選択部を更に含むことを特徴とする。
【００１３】
例示的な実施形態の第４の態様は、第３の態様のスリットランプ顕微鏡であって、前記画像選択部により前記第１画像群及び前記第２画像群から選択された画像を含む画像群に基づいて３次元画像を構築する３次元画像構築部を更に含むことを特徴とする。
【００１４】
例示的な実施形態の第５の態様は、第２の態様のスリットランプ顕微鏡であって、前記第１撮影系及び前記第２撮影系により実質的に同時に取得された２つの画像を比較することにより前記２つの画像のいずれかにアーティファクトが含まれるか判定し、前記２つの画像のいずれかにアーティファクトが含まれると判定されたときに当該アーティファクトを除去するアーティファクト除去部を更に含むことを特徴とする。
【００１５】
例示的な実施形態の第６の態様は、第５の態様のスリットランプ顕微鏡であって、前記アーティファクト除去部によりアーティファクトが除去された画像を含む画像群に基づいて３次元画像を構築する３次元画像構築部を更に含むことを特徴とする。
【００１６】
例示的な実施形態の第７の態様は、第１の態様のスリットランプ顕微鏡であって、前記撮影系により取得された前記複数の画像に基づいて３次元画像を構築する３次元画像構築部を更に含むことを特徴とする。
【００１７】
例示的な実施形態の第８の態様は、第４、６及び７の態様のいずれかのスリットランプ顕微鏡であって、前記移動機構は、前記照明系の光軸を回転軸として前記照明系及び前記撮影系を一体的に回転する回転機構を含み、前記照明系及び前記撮影系が第１回転位置に配置されているときに、前記撮影系は、前記複数の画像を取得し、前記第１回転位置と異なる第２回転位置に前記照明系及び前記撮影系が配置されているときに、前記撮影系は、前記照明系によりスリット光が照射されている前記前眼部の画像を取得し、前記３次元画像構築部は、前記第２回転位置において取得された前記画像に基づいて前記複数の画像の相対位置を決定する画像位置決定部を含むことを特徴とする。
【００１８】
例示的な実施形態の第９の態様は、第４、６〜８の態様のいずれかのスリットランプ顕微鏡であって、前記３次元画像構築部は、前記複数の画像のそれぞれから、前記スリット光の照射領域に対応する画像領域を抽出する画像領域抽出部と、前記画像領域抽出部により前記複数の画像からそれぞれ抽出された複数の画像領域を合成して３次元画像を構築する画像合成部とを含むことを特徴とする。
【００１９】
例示的な実施形態の第１０の態様は、第９の態様のスリットランプ顕微鏡であって、前記画像領域抽出部は、前記複数の画像のそれぞれから、前記スリット光の照射領域及び前記前眼部の所定部位の双方に対応する画像領域を抽出することを特徴とする。
【００２０】
例示的な実施形態の第１１の態様は、第１０の態様のスリットランプ顕微鏡であって、前記所定部位は、角膜前面及び水晶体後面により画成される部位であることを特徴とする。
【００２１】
例示的な実施形態の第１２の態様は、第４、６〜１１の態様のいずれかのスリットランプ顕微鏡であって、前記３次元画像をレンダリングしてレンダリング画像を構築するレンダリング部を更に含むことを特徴とする。
【００２２】
例示的な実施形態の第１３の態様は、第１２の態様のスリットランプ顕微鏡であって、前記３次元画像に対して断面が指定されたとき、前記レンダリング部は、前記３次元画像を当該断面で切断して３次元部分画像を構築することを特徴とする。
【００２３】
例示的な実施形態の第１４の態様は、第１２の態様のスリットランプ顕微鏡であって、前記３次元画像に対して断面が指定されたとき、前記レンダリング部は、当該断面を表す２次元断面画像を構築することを特徴とする。
【００２４】
例示的な実施形態の第１５の態様は、第１２の態様のスリットランプ顕微鏡であって、前記３次元画像に対してスライスが指定されたとき、前記レンダリング部は、当該スライスに対応する３次元スライス画像を構築することを特徴とする。
【００２５】
例示的な実施形態の第１６の態様は、第１〜１５の態様のいずれかのスリットランプ顕微鏡であって、前記照明系の光軸と前記撮影系の光軸とがなす角度である光軸角度に起因する歪みを補正するための処理を、前記複数の画像のうちの少なくとも１つに適用する歪み補正部を更に含むことを特徴とする。
【００２６】
例示的な実施形態の第１７の態様は、第１６の態様のスリットランプ顕微鏡であって、前記撮影系に含まれる前記光学系の光軸は、前記照明系の光軸に対して、前記照明系の光軸に沿う第１方向及び前記スリット光の長手方向に沿う第２方向の双方に直交する第３方向に傾斜して配置されており、前記歪み補正部は、前記第１方向及び前記第２方向の双方を含む平面における歪みを補正するための処理を実行することを特徴とする。
【００２７】
例示的な実施形態の第１８の態様は、第１６又は１７の態様のスリットランプ顕微鏡であって、前記歪み補正部は、所定の基準角度と前記光軸角度とに基づき設定された補正係数を予め記憶しており、当該補正係数に基づいて前記歪みを補正するための処理を実行することを特徴とする。
【００２８】
例示的な実施形態の第１９の態様は、第１〜１８の態様のいずれかのスリットランプ顕微鏡であって、前記撮影系により取得された前記複数の画像のうちの少なくとも１つを解析することにより所定の計測値を求める第１計測部を更に含むことを特徴とする。
【００２９】
例示的な実施形態の第２０の態様は、第４、６〜１５の態様のいずれかのスリットランプ顕微鏡であって、前記３次元画像構築部により構築された前記３次元画像を解析することにより所定の計測値を求める第２計測部を更に含むことを特徴とする。
【００３０】
例示的な実施形態の第２１の態様は、第１〜２０の態様のいずれかのスリットランプ顕微鏡であって、前記照明系及び前記撮影系は、少なくとも角膜前面及び水晶体後面により画成される部位に前記撮影系のピントが合うように構成されていることを特徴とする。
【００３１】
例示的な実施形態の第２２の態様は、第１〜２１の態様のいずれかのスリットランプ顕微鏡であって、前記照明系は、被検者の体軸方向を長手方向とするスリット光を前記前眼部に照射し、前記移動機構は、前記体軸方向に直交する方向に前記照明系及び前記撮影系を移動することを特徴とする。
【００３２】
例示的な実施形態の第２３の態様は、第２２の態様のスリットランプ顕微鏡であって、前記スリット光の長さは、前記体軸方向における角膜径以上であり、前記移動機構による前記照明系及び前記撮影系の移動距離は、前記体軸方向に直交する方向における角膜径以上であることを特徴とする。
【００３３】
例示的な実施形態の第２４の態様は、第１〜２３の態様のいずれかのスリットランプ顕微鏡であって、前記撮影系に含まれる前記光学系は、前記スリット光が照射されている前記前眼部からの光であって、前記照明系の光軸から離れる方向に進行する光を、前記照明系の光軸に近づく方向に反射する反射器と、前記反射器により反射された前記光を前記撮像面に結像させる１以上のレンズとを含むことを特徴とする。
【００３４】
例示的な実施形態の第２５の態様は、第１〜２４の態様のいずれかのスリットランプ顕微鏡であって、撮影系による前記複数の画像の取得と並行して前記前眼部を固定位置から動画撮影する動画撮影系を更に含むことを特徴とする。
【００３５】
例示的な実施形態の第２６の態様は、第２５の態様のスリットランプ顕微鏡であって、前記動画撮影系により取得される動画像を解析して前記被検眼の運動を検出する運動検出部を更に含むことを特徴とする。
【００３６】
例示的な実施形態の第２７の態様は、第２６の態様のスリットランプ顕微鏡であって、前記運動検出部からの出力に基づいて前記移動機構を制御する移動制御部を更に含むことを特徴とする。
【００３７】
例示的な実施形態の第２８の態様は、第１〜２７の態様のいずれかのスリットランプ顕微鏡であって、前記前眼部について取得された画像を情報処理装置に向けて送信する通信部を更に含むことを特徴とする。
【００３８】
例示的な実施形態の第２９の態様は、スリットランプ顕微鏡と、通信回線を介して前記スリットランプ顕微鏡に接続されており、前記スリットランプ顕微鏡により取得された被検眼の前眼部の画像を処理する情報処理装置とを含む眼科システムである。前記スリットランプ顕微鏡は、被検眼の前眼部にスリット光を照射する照明系と、前記スリット光が照射されている前記前眼部からの光を導く光学系と前記光学系により導かれた前記光を撮像面で受光する撮像素子とを含む撮影系と、前記照明系及び前記撮影系を移動する移動機構とを含む。前記照明系の光軸に沿う物面と前記光学系と前記撮像面とは、シャインプルーフの条件を満足する。前記撮影系は、前記移動機構による前記照明系及び前記撮影系の移動と並行して繰り返し撮影を行うことにより前記前眼部の複数の画像を取得する。
【００３９】
例示的な実施形態の第３０の態様は、第２９の態様の眼科システムであって、前記スリットランプ顕微鏡の前記撮影系は、前記スリット光が照射されている前記前眼部からの光を導く第１光学系と、前記第１光学系により導かれた前記光を第１撮像面で受光する第１撮像素子とを含み、前記移動と並行して繰り返し撮影を行うことにより第１画像群を取得する第１撮影系と、前記スリット光が照射されている前記前眼部からの光を導く第２光学系と、前記第２光学系により導かれた前記光を第２撮像面で受光する第２撮像素子とを含み、前記移動と並行して繰り返し撮影を行うことにより第２画像群を取得する第２撮影系とを含み、前記第１光学系の光軸と前記第２光学系の光軸とは、互いに異なる向きに配置されており、前記物面と前記第１光学系と前記第１撮像面とがシャインプルーフの条件を満足し、且つ、前記物面と前記第２光学系と前記第２撮像面とがシャインプルーフの条件を満足することを特徴とする。
【００４０】
例示的な実施形態の第３１の態様は、第３０の態様の眼科システムであって、前記第１光学系の光軸と前記第２光学系の光軸とは、前記照明系の光軸に対して互いに反対の方向に傾斜して配置されており、前記情報処理装置は、前記第１撮影系及び前記第２撮影系により実質的に同時に取得された２つの画像のいずれかにアーティファクトが含まれるか判定し、前記２つの画像のうちの一方の画像にアーティファクトが含まれると判定されたときに他方の画像を選択する画像選択部を含むことを特徴とする。
【００４１】
例示的な実施形態の第３２の態様は、第３１の態様の眼科システムであって、前記情報処理装置は、前記画像選択部により前記第１画像群及び前記第２画像群から選択された画像を含む画像群に基づいて３次元画像を構築する３次元画像構築部を含むことを特徴とする。
【００４２】
例示的な実施形態の第３３の態様は、第３０の態様の眼科システムであって、前記情報処理装置は、前記第１撮影系及び前記第２撮影系により実質的に同時に取得された２つの画像を比較することにより前記２つの画像のいずれかにアーティファクトが含まれるか判定し、前記２つの画像のいずれかにアーティファクトが含まれると判定されたときに当該アーティファクトを除去するアーティファクト除去部を含むことを特徴とする。
【００４３】
例示的な実施形態の第３４の態様は、第３３の態様の眼科システムであって、前記情報処理装置は、前記アーティファクト除去部によりアーティファクトが除去された画像を含む画像群に基づいて３次元画像を構築する３次元画像構築部を含むことを特徴とする。
【００４４】
例示的な実施形態の第３５の態様は、第２９の態様の眼科システムであって、前記情報処理装置は、前記撮影系により取得された前記複数の画像に基づいて３次元画像を構築する３次元画像構築部を含むことを特徴とする。
【００４５】
例示的な実施形態の第３６の態様は、第３２、３４及び３５の態様のいずれかの眼科システムであって、前記移動機構は、前記照明系の光軸を回転軸として前記照明系及び前記撮影系を一体的に回転する回転機構を含み、前記照明系及び前記撮影系が第１回転位置に配置されているときに、前記撮影系は、前記複数の画像を取得し、前記第１回転位置と異なる第２回転位置に前記照明系及び前記撮影系が配置されているときに、前記撮影系は、前記照明系によりスリット光が照射されている前記前眼部の画像を取得し、前記３次元画像構築部は、前記第２回転位置において取得された前記画像に基づいて前記複数の画像の相対位置を決定する画像位置決定部を含むことを特徴とする。
【００４６】
例示的な実施形態の第３７の態様は、第３２、３４〜３６の態様のいずれかの眼科システムであって、前記３次元画像構築部は、前記複数の画像のそれぞれから、前記スリット光の照射領域に対応する画像領域を抽出する画像領域抽出部と、前記画像領域抽出部により前記複数の画像からそれぞれ抽出された複数の画像領域を合成して３次元画像を構築する画像合成部とを含むことを特徴とする。
【００４７】
例示的な実施形態の第３８の態様は、第３７の態様の眼科システムであって、前記画像領域抽出部は、前記複数の画像のそれぞれから、前記スリット光の照射領域及び前記前眼部の所定部位の双方に対応する画像領域を抽出することを特徴とする。
【００４８】
例示的な実施形態の第３９の態様は、第３８の態様の眼科システムであって、前記所定部位は、角膜前面及び水晶体後面により画成される部位であることを特徴とする。
【００４９】
例示的な実施形態の第４０の態様は、第３２、３４〜３９の態様のいずれかの眼科システムであって、前記情報処理装置は、前記３次元画像をレンダリングしてレンダリング画像を構築するレンダリング部を含むことを特徴とする。
【００５０】
例示的な実施形態の第４１の態様は、第４０の態様の眼科システムであって、前記３次元画像に対して断面が指定されたとき、前記レンダリング部は、前記３次元画像を当該断面で切断して３次元部分画像を構築することを特徴とする。
【００５１】
例示的な実施形態の第４２の態様は、第４０の態様の眼科システムであって、前記３次元画像に対して断面が指定されたとき、前記レンダリング部は、当該断面を表す２次元断面画像を構築することを特徴とする。
【００５２】
例示的な実施形態の第４３の態様は、第４０の態様の眼科システムであって、前記３次元画像に対してスライスが指定されたとき、前記レンダリング部は、当該スライスに対応する３次元スライス画像を構築することを特徴とする。
【００５３】
例示的な実施形態の第４４の態様は、第２９〜４３の態様のいずれかの眼科システムであって、前記情報処理装置は、前記照明系の光軸と前記撮影系の光軸とがなす角度である光軸角度に起因する歪みを補正するための処理を、前記複数の画像のうちの少なくとも１つに適用する歪み補正部を含むことを特徴とする。
【００５４】
例示的な実施形態の第４５の態様は、第４４の態様の眼科システムであって、前記撮影系に含まれる前記光学系の光軸は、前記照明系の光軸に対して、前記照明系の光軸に沿う第１方向及び前記スリット光の長手方向に沿う第２方向の双方に直交する第３方向に傾斜して配置されており、前記歪み補正部は、前記第１方向及び前記第２方向の双方を含む平面における歪みを補正するための処理を実行することを特徴とする。
【００５５】
例示的な実施形態の第４６の態様は、第４４又は４５の態様の眼科システムであって、前記歪み補正部は、所定の基準角度と前記光軸角度とに基づき設定された補正係数を予め記憶しており、当該補正係数に基づいて前記歪みを補正するための処理を実行することを特徴とする。
【００５６】
例示的な実施形態の第４７の態様は、第２９〜４６の態様のいずれかの眼科システムであって、前記情報処理装置は、前記撮影系により取得された前記複数の画像のうちの少なくとも１つを解析することにより所定の計測値を求める第１計測部を含むことを特徴とする。
【００５７】
例示的な実施形態の第４８の態様は、第３２、３４〜４３の態様のいずれかの眼科システムであって、前記情報処理装置は、前記３次元画像構築部により構築された前記３次元画像を解析することにより所定の計測値を求める第２計測部を含むことを特徴とする。
【００５８】
例示的な実施形態の第４９の態様は、第２９〜４８の態様のいずれかの眼科システムであって、前記照明系及び前記撮影系は、少なくとも角膜前面及び水晶体後面により画成される部位に前記撮影系のピントが合うように構成されていることを特徴とする。
【００５９】
例示的な実施形態の第５０の態様は、第２９〜４９の態様のいずれかの眼科システムであって、前記照明系は、被検者の体軸方向を長手方向とするスリット光を前記前眼部に照射し、前記移動機構は、前記体軸方向に直交する方向に前記照明系及び前記撮影系を移動することを特徴とする。
【００６０】
例示的な実施形態の第５１の態様は、第５０の態様の眼科システムであって、前記スリット光の長さは、前記体軸方向における角膜径以上であり、前記移動機構による前記照明系及び前記撮影系の移動距離は、前記体軸方向に直交する方向における角膜径以上であることを特徴とする。
【００６１】
例示的な実施形態の第５２の態様は、第２９〜５１の態様のいずれかの眼科システムであって、前記撮影系に含まれる前記光学系は、前記スリット光が照射されている前記前眼部からの光であって、前記照明系の光軸から離れる方向に進行する光を、前記照明系の光軸に近づく方向に反射する反射器と、前記反射器により反射された前記光を前記撮像面に結像させる１以上のレンズとを含むことを特徴とする。
【００６２】
例示的な実施形態の第５３の態様は、第２９〜５２の態様のいずれかの眼科システムであって、前記スリットランプ顕微鏡は、撮影系による前記複数の画像の取得と並行して前記前眼部を固定位置から動画撮影する動画撮影系を含むことを特徴とする。
【００６３】
例示的な実施形態の第５４の態様は、第５３の態様の眼科システムであって、前記スリットランプ顕微鏡は、前記動画撮影系により取得される動画像を解析して前記被検眼の運動を検出する運動検出部を含むことを特徴とする。
【００６４】
例示的な実施形態の第５５の態様は、第５４の態様の眼科システムであって、前記スリットランプ顕微鏡は、前記運動検出部からの出力に基づいて前記移動機構を制御する移動制御部を含むことを特徴とする。
【発明の効果】
【００６５】
例示的な実施形態によれば、高品質なスリットランプ顕微鏡検査を広く提供することが可能になる。
【図面の簡単な説明】
【００６６】
【図１】例示的な実施形態に係るスリットランプ顕微鏡の構成を表す概略図である。
【図２Ａ】例示的な実施形態に係るスリットランプ顕微鏡の動作を説明するための概略図である。
【図２Ｂ】例示的な実施形態に係るスリットランプ顕微鏡の動作を説明するための概略図である。
【図３】例示的な実施形態に係るスリットランプ顕微鏡の動作を説明するための概略図である。
【図４】例示的な実施形態に係るスリットランプ顕微鏡の使用形態を表すフローチャートである。
【図５】例示的な実施形態に係るスリットランプ顕微鏡の構成を表す概略図である。
【図６】例示的な実施形態に係るスリットランプ顕微鏡の構成の変形例を表す概略図である。
【図７】例示的な実施形態に係るスリットランプ顕微鏡の構成を表す概略図である。
【図８】例示的な実施形態に係るスリットランプ顕微鏡の動作を説明するための概略図である。
【図９】例示的な実施形態に係るスリットランプ顕微鏡の構成を表す概略図である。
【図１０】例示的な実施形態に係るスリットランプ顕微鏡の構成を表す概略図である。
【図１１】例示的な実施形態に係るスリットランプ顕微鏡の構成を表す概略図である。
【図１２】例示的な実施形態に係るスリットランプ顕微鏡の動作を説明するための概略図である。
【図１３】例示的な実施形態に係るスリットランプ顕微鏡の構成を表す概略図である。
【図１４】例示的な実施形態に係るスリットランプ顕微鏡の構成を表す概略図である。
【図１５】例示的な実施形態に係るスリットランプ顕微鏡の構成を表す概略図である。
【図１６】例示的な実施形態に係るスリットランプ顕微鏡の構成を表す概略図である。
【図１７】例示的な実施形態に係るスリットランプ顕微鏡の構成を表す概略図である。
【図１８】例示的な実施形態に係るスリットランプ顕微鏡の使用形態を説明するための概略図である。
【図１９Ａ】例示的な実施形態に係るスリットランプ顕微鏡の使用形態を説明するための概略図である。
【図１９Ｂ】例示的な実施形態に係るスリットランプ顕微鏡の使用形態を説明するための概略図である。
【図２０】例示的な実施形態に係るスリットランプ顕微鏡の使用形態を説明するための図である。
【図２１Ａ】例示的な実施形態に係るスリットランプ顕微鏡の使用形態を説明するための概略図である。
【図２１Ｂ】例示的な実施形態に係るスリットランプ顕微鏡の使用形態を説明するための概略図である。
【図２２】例示的な実施形態に係るスリットランプ顕微鏡の使用形態を説明するための概略図である。
【図２３】例示的な実施形態に係るスリットランプ顕微鏡の使用形態を説明するための概略図である。
【図２４】例示的な実施形態に係るスリットランプ顕微鏡の使用形態を説明するための概略図である。
【図２５】例示的な実施形態に係るスリットランプ顕微鏡の使用形態を説明するための概略図である。
【図２６】例示的な実施形態に係るスリットランプ顕微鏡の使用形態を説明するための概略図である。
【図２７】例示的な実施形態に係るスリットランプ顕微鏡の使用形態を説明するための概略図である。
【図２８】例示的な実施形態に係るスリットランプ顕微鏡の使用形態を説明するための概略図である。
【図２９】例示的な実施形態に係るスリットランプ顕微鏡の使用形態を説明するための概略図である。
【図３０】例示的な実施形態に係る眼科システムの構成を表す概略図である。
【図３１】例示的な実施形態に係る眼科システムの構成を表す概略図である。
【図３２】例示的な実施形態に係る眼科システムの構成を表す概略図である。
【発明を実施するための形態】
【００６７】
例示的な実施形態について、図面を参照しながら詳細に説明する。なお、本明細書にて引用した文献に開示された事項などの任意の公知技術を実施形態に組み合わせることができる。
【００６８】
実施形態に係るスリットランプ顕微鏡は、例えば、眼鏡店や医療施設に設置されてもよいし、可搬型であってもよい。実施形態に係るスリットランプ顕微鏡は、典型的には、同装置に関する専門技術保持者が側にいない状況や環境で使用される。なお、実施形態に係るスリットランプ顕微鏡は、専門技術保持者が側にいる状況や環境で使用されてもよいし、専門技術保持者が遠隔地から監視、指示、操作することが可能な状況や環境で使用されてもよい。
【００６９】
実施形態に係る眼科システムは、１以上のスリットランプ顕微鏡と、１以上の情報処理装置とを含み、例えば遠隔医療に使用可能である。情報処理装置は、スリットランプ顕微鏡により取得された画像を受けてこれを処理する。情報処理装置は、スリットランプ顕微鏡や他の情報処理装置にデータを送信可能であってよい。情報処理装置の用途は、例えば、画像解析、画像処理、読影などであってよい。
【００７０】
実施形態の眼科システムが遠隔医療に用いられる場合、スリットランプ顕微鏡により取得された画像の読影を、このスリットランプ顕微鏡が設置された施設から離れた遠隔地にいる者が行う。読影者は、典型的には医師であり、スリットランプ顕微鏡に関する専門技術の保持者である。また、情報処理技術（例えば、人工知能、画像解析、画像処理）を利用したコンピュータによる読影支援を採用することも可能である。
【００７１】
スリットランプ顕微鏡が設置される施設の例として、眼鏡店、オプトメトリスト、医療機関、健康診断会場、検診会場、患者の自宅、福祉施設、公共施設、検診車などがある。
【００７２】
実施形態に係るスリットランプ顕微鏡は、少なくともスリットランプ顕微鏡としての機能を有する眼科撮影装置であり、他の撮影機能（モダリティ）を更に備えていてもよい。他のモダリティの例として、眼底カメラ、ＳＬＯ、ＯＣＴなどがある。実施形態に係るスリットランプ顕微鏡は、被検眼の特性を測定する機能を更に備えていてもよい。測定機能の例として、視力測定、屈折測定、眼圧測定、角膜内皮細胞測定、収差測定、視野測定などがある。実施形態に係るスリットランプ顕微鏡は、撮影画像や測定データを解析するためのアプリケーションを更に備えていてもよい。実施形態に係るスリットランプ顕微鏡は、治療や手術のための機能を更に備えていてもよい。その例として光凝固治療や光線力学的療法がある。
【００７３】
以下、様々な例示的な実施形態について説明する。これら実施形態のうちのいずれか２つ又はそれ以上を組み合わせることが可能である。また、これら実施形態のそれぞれ又は２以上の組み合わせに任意の公知技術に基づく変形（付加、置換等）を施すことが可能である。
【００７４】
以下に例示する実施形態において、「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。プロセッサは、例えば、記憶回路や記憶装置に格納されているプログラムやデータを読み出し実行することで、その実施形態に係る機能を実現する。
【００７５】
〈第１実施形態〉
第１実施形態に係るスリットランプ顕微鏡の例を図１に示す。
【００７６】
スリットランプ顕微鏡１は、被検眼Ｅの前眼部撮影に用いられ、照明系２と、撮影系３と、移動機構６と、制御部７と、データ処理部８と、通信部９とを含む。なお、符号Ｃは角膜を示し、符号ＣＬは水晶体を示す。
【００７７】
スリットランプ顕微鏡１は、単一の装置であってもよいし、２以上の装置を含むシステムであってもよい。後者の例として、スリットランプ顕微鏡１は、照明系２、撮影系３、及び移動機構６を含む本体装置と、制御部７、データ処理部８、及び通信部９を含むコンピュータと、本体装置とコンピュータとの間の通信を担う通信デバイスとを含む。コンピュータは、例えば、本体装置とともに設置されてもよいし、ネットワーク上に設置されていてもよい。
【００７８】
［照明系２］
照明系２は、被検眼Ｅの前眼部にスリット光を照射する。符号２ａは、照明系２の光軸（照明光軸）を示す。照明系２は、従来のスリットランプ顕微鏡の照明系と同様の構成を備えていてよい。例えば、図示は省略するが、照明系２は、被検眼Ｅから遠い側から順に、照明光源と、正レンズと、スリット形成部と、対物レンズとを含む。
【００７９】
照明光源は照明光を出力する。照明系２は複数の照明光源を備えていてよい。例えば、照明系２は、連続光を出力する照明光源と、フラッシュ光を出力する照明光源とを含んでいてよい。また、照明系２は、前眼部用照明光源と後眼部用照明光源とを含んでいてよい。また、照明系２は、出力波長が異なる２以上の照明光源を含んでいてよい。典型的な照明系２は、照明光源として可視光源を含む。照明系２は、赤外光源を含んでいてもよい。照明光源から出力された照明光は、正レンズを通過してスリット形成部に投射される。
【００８０】
スリット形成部は、照明光の一部を通過させてスリット光を生成する。典型的なスリット形成部は、一対のスリット刃を有する。これらスリット刃の間隔（スリット幅）を変更することで照明光が通過する領域（スリット）の幅を変更し、これによりスリット光の幅が変更される。また、スリット形成部は、スリット光の長さを変更可能に構成されてもよい。スリット光の長さとは、スリット幅に対応するスリット光の断面幅方向に直交する方向におけるスリット光の断面寸法である。スリット光の幅やスリット光の長さは、典型的には、スリット光の前眼部への投影像の寸法として表現される。
【００８１】
スリット形成部により生成されたスリット光は、対物レンズにより屈折されて被検眼Ｅの前眼部に照射される。
【００８２】
照明系２は、スリット光のフォーカス位置を変更するための合焦機構を更に含んでいてもよい。合焦機構は、例えば、対物レンズを照明光軸２ａに沿って移動させる。対物レンズの移動は、自動及び／又は手動で実行可能である。なお、対物レンズとスリット形成部との間の照明光軸２ａ上の位置に合焦レンズを配置し、この合焦レンズを照明光軸２ａに沿って移動させることによってスリット光のフォーカス位置を変更可能としてもよい。
【００８３】
なお、図１は上面図であり、同図に示すように、本実施形態では、被検眼Ｅの軸に沿う方向をＺ方向とし、これに直交する方向のうち被検者にとって左右の方向をＸ方向とし、Ｘ方向及びＺ方向の双方に直交する方向をＹ方向とする。典型的には、Ｘ方向は左眼と右眼との配列方向であり、Ｙ方向は被検者の体軸に沿う方向（体軸方向）である。また、本実施形態では、照明光軸２ａが被検眼Ｅの軸に一致するように、より広義には、照明光軸２ａが被検眼Ｅの軸に平行に配置されるようにスリットランプ顕微鏡１のアライメントが実行される。アライメントについては後述する。
【００８４】
［撮影系３］
撮影系３は、照明系２からのスリット光が照射されている前眼部を撮影する。符号３ａは、撮影系３の光軸（撮影光軸）を示す。本実施形態の撮影系３は、光学系４と、撮像素子５とを含む。
【００８５】
光学系４は、スリット光が照射されている被検眼Ｅの前眼部からの光を撮像素子５に導く。撮像素子５は、光学系４により導かれた光を撮像面にて受光する。
【００８６】
光学系４により導かれる光（つまり、被検眼Ｅの前眼部からの光）は、前眼部に照射されているスリット光の戻り光を含み、他の光を更に含んでいてよい。戻り光の例として、反射光、散乱光、蛍光がある。他の光の例として、スリットランプ顕微鏡１の設置環境からの光（室内光、太陽光など）がある。前眼部全体を照明するための前眼部照明系が照明系２とは別に設けられている場合、この前眼部照明光の戻り光が、光学系４により導かれる光に含まれてもよい。
【００８７】
撮像素子５は、２次元の撮像エリアを有するエリアセンサであり、例えば、電荷結合素子（ＣＣＤ）イメージセンサや相補型金属酸化膜半導体（ＣＭＯＳ）イメージセンサであってよい。
【００８８】
光学系４は、例えば、従来のスリットランプ顕微鏡の撮影系と同様の構成を備えていてよい。例えば、光学系４は、被検眼Ｅに近い側から順に、対物レンズと、変倍光学系と、結像レンズとを含む。スリット光が照射されている被検眼Ｅの前眼部からの光は、対物レンズ及び変倍光学系を通過し、結像レンズにより撮像素子５の撮像面に結像される。
【００８９】
撮影系３は、例えば、第１撮影系と第２撮影系とを含んでいてよい。典型的には、第１撮影系と第２撮影系とは同じ構成を有する。撮影系３が第１撮影系と第２撮影系とを含む場合については他の実施形態において説明する。
【００９０】
撮影系３は、そのフォーカス位置を変更するための合焦機構を更に含んでいてもよい。合焦機構は、例えば、対物レンズを撮影光軸３ａに沿って移動させる。対物レンズの移動は、自動及び／又は手動で実行可能である。なお、対物レンズと結像レンズとの間の撮影光軸３ａ上の位置に合焦レンズを配置し、この合焦レンズを撮影光軸３ａに沿って移動させることによってフォーカス位置を変更可能としてもよい。
【００９１】
照明系２及び撮影系３は、シャインプルーフカメラとして機能する。すなわち、照明光軸２ａに沿う物面と、光学系４と、撮像素子５の撮像面とが、いわゆるシャインプルーフの条件を満足するように、照明系２及び撮影系３が構成される。より具体的には、照明光軸２ａを通るＹＺ面（物面を含む）と、光学系４の主面と、撮像素子５の撮像面とが、同一の直線上にて交差する。これにより、物面内の全ての位置（照明光軸２ａに沿う方向における全ての位置）にピントを合わせて撮影を行うことができる。
【００９２】
本実施形態では、少なくとも角膜Ｃの前面及び水晶体ＣＬの後面により画成される部位に撮影系３のピントが合うように、照明系２及び撮影系３が構成される。つまり、図１に示す角膜Ｃの前面の頂点（Ｚ＝Ｚ１）から水晶体ＣＬの後面の頂点（Ｚ＝Ｚ２）までの範囲全体に撮影系３のピントが合っている状態で、撮影を行うことが可能である。なお、Ｚ＝Ｚ０は、照明光軸２ａと撮影光軸３ａとの交点のＺ座標を示す。
【００９３】
このような条件は、典型的には、照明系２に含まれる要素の構成及び配置、撮影系３に含まれる要素の構成及び配置、並びに、照明系２と撮影系３との相対位置によって実現される。照明系２と撮影系３との相対位置を示すパラメータは、例えば、照明光軸２ａと撮影光軸３ａとがなす角度θを含む。角度θは、例えば、１７．５度、３０度、又は４５度に設定される。なお、角度θは可変であってもよい。
【００９４】
［移動機構６］
移動機構６は、照明系２及び撮影系３を移動する。本実施形態において、移動機構６は、照明系２及び撮影系３を一体的にＸ方向に移動する。
【００９５】
例えば、移動機構６は、照明系２及び撮影系３が搭載された可動ステージと、制御部７から入力される制御信号にしたがって動作するアクチュエータと、このアクチュエータにより発生された駆動力に基づき可動ステージを移動する機構とを含む。他の例において、移動機構６は、照明系２及び撮影系３が搭載された可動ステージと、図示しない操作デバイスに印加された力に基づき可動ステージを移動する機構とを含む。操作デバイスは、例えばレバーである。可動ステージは、少なくともＸ方向に移動可能であり、更にＹ方向及び／又はＺ方向に移動可能であってよい。
【００９６】
［制御部７］
制御部７は、スリットランプ顕微鏡１の各部を制御する。例えば、制御部７は、照明系２の要素（照明光源、スリット形成部、合焦機構など）、撮影系３の要素（合焦機構、撮像素子など）、移動機構６、データ処理部８、通信部９などを制御する。また、制御部７は、照明系２と撮影系３との相対位置を変更するための制御を実行可能であってもよい。
【００９７】
制御部７は、プロセッサ、主記憶装置、補助記憶装置などを含む。補助記憶装置には、制御プログラム等が記憶されている。制御プログラム等は、スリットランプ顕微鏡１がアクセス可能なコンピュータや記憶装置に記憶されていてもよい。制御部７の機能は、制御プログラム等のソフトウェアと、プロセッサ等のハードウェアとの協働によって実現される。
【００９８】
制御部７は、被検眼Ｅの前眼部の３次元領域をスリット光でスキャンするために、照明系２、撮影系３及び移動機構６に対して次のような制御を適用することができる。
【００９９】
まず、制御部７は、照明系２及び撮影系３を所定のスキャン開始位置に配置するように移動機構６を制御する（アライメント制御）。スキャン開始位置は、例えば、Ｘ方向における角膜Ｃの端部（第１端部）に相当する位置、又は、それよりも被検眼Ｅの軸から離れた位置である。図２Ａにおける符号Ｘ０は、Ｘ方向における角膜Ｃの第１端部に相当するスキャン開始位置を示している。また、図２Ｂの符号Ｘ０’は、Ｘ方向における角膜Ｃの第１端部に相当する位置よりも被検眼Ｅの軸ＥＡから離れたスキャン開始位置を示している。
【０１００】
制御部７は、照明系２を制御して、被検眼Ｅの前眼部に対するスリット光の照射を開始させる（スリット光照射制御）。なお、アライメント制御の実行前に、又は、アライメント制御の実行中に、スリット光照射制御を行ってもよい。照明系２は、典型的には連続光をスリット光として照射するが、断続光（パルス光）をスリット光として照射してもよい。また、照明系２は、典型的には可視光をスリット光として照射するが、赤外光をスリット光として照射してもよい。
【０１０１】
制御部７は、撮影系３を制御して、被検眼Ｅの前眼部の動画撮影を開始させる（撮影制御）。なお、アライメント制御の実行前に、又は、アライメント制御の実行中に、撮影制御を行ってもよい。典型的には、スリット光照射制御と同時に、又は、スリット光照射制御よりも後に、撮影制御が実行される。
【０１０２】
アライメント制御、スリット光照射制御、及び撮影制御の実行後、制御部７は、移動機構６を制御して、照明系２及び撮影系３の移動を開始する（移動制御）。移動制御により、照明系２及び撮影系３が一体的に移動される。つまり、照明系２と撮影系３との相対位置（角度θなど）を維持しつつ照明系２及び撮影系３が移動される。照明系２及び撮影系３の移動は、前述したスキャン開始位置から所定のスキャン終了位置まで行われる。スキャン終了位置は、例えば、スキャン開始位置と同様に、Ｘ方向において第１端部の反対側の角膜Ｃの端部（第２端部）に相当する位置、又は、それよりも被検眼Ｅの軸から離れた位置である。このような場合、スキャン開始位置からスキャン終了位置までの範囲がスキャン範囲となる。
【０１０３】
典型的には、Ｘ方向を幅方向とし且つＹ方向を長手方向とするスリット光を前眼部に照射しつつ、且つ、照明系２及び撮影系３をＸ方向に移動しつつ、撮影系３による動画撮影が実行される。
【０１０４】
ここで、スリット光の長さ（つまり、Ｙ方向におけるスリット光の寸法）は、例えば、被検眼Ｅの表面において角膜Ｃの径以上に設定されている。すなわち、スリット光の長さは、Ｙ方向における角膜径以上に設定されている。また、前述のように、移動機構６による照明系２及び撮影系３の移動距離（つまり、スキャン範囲）は、Ｘ方向における角膜径以上に設定されている。これにより、少なくとも角膜Ｃ全体をスリット光でスキャンすることができる。
【０１０５】
このようなスキャンにより、スリット光の照射位置が異なる複数の前眼部画像が得られる。換言すると、スリット光の照射位置がＸ方向に移動する様が描写された動画像が得られる。このような複数の前眼部画像（つまり、動画像を構成するフレーム群）の例を図３に示す。
【０１０６】
図３は、複数の前眼部画像（フレーム群）Ｆ１、Ｆ２、Ｆ３、・・・、ＦＮを示す。これら前眼部画像Ｆｎ（ｎ＝１、２、・・・、Ｎ）の添字ｎは、時系列順序を表している。つまり、第ｎ番目に取得された前眼部画像が符号Ｆｎで表される。前眼部画像Ｆｎには、スリット光照射領域Ａｎが含まれている。図３に示すように、スリット光照射領域Ａ１、Ａ２、Ａ３、・・・、ＡＮは、時系列に沿って右方向に移動している。図３に示す例では、スキャン開始位置及びスキャン終了位置は、Ｘ方向における角膜Ｃの両端に対応する。なお、スキャン開始位置及び／又はスキャン終了位置は本例に限定されず、例えば、角膜端部よりも被検眼Ｅの軸から離れた位置であってよい。また、スキャンの向きや回数についても任意に設定することが可能である。
【０１０７】
［データ処理部８］
データ処理部８は、各種のデータ処理を実行する。処理されるデータは、スリットランプ顕微鏡１により取得されたデータ、及び、外部から入力されたデータのいずれでもよい。例えば、データ処理部８は、照明系２及び撮影系３によって取得された画像を処理することができる。なお、データ処理部８の構成や機能については他の実施形態において説明する。
【０１０８】
データ処理部８は、プロセッサ、主記憶装置、補助記憶装置などを含む。補助記憶装置には、データ処理プログラム等が記憶されている。データ処理プログラム等は、スリットランプ顕微鏡１がアクセス可能なコンピュータや記憶装置に記憶されていてもよい。データ処理部８の機能は、データ処理プログラム等のソフトウェアと、プロセッサ等のハードウェアとの協働によって実現される。
【０１０９】
［通信部９］
通信部９は、スリットランプ顕微鏡１と他の装置との間におけるデータ通信を行う。すなわち、通信部９は、他の装置へのデータの送信と、他の装置から送信されたデータの受信とを行う。
【０１１０】
通信部９が実行するデータ通信の方式は任意である。例えば、通信部９は、インターネットに準拠した通信インターフェイス、専用線に準拠した通信インターフェイス、ＬＡＮに準拠した通信インターフェイス、近距離通信に準拠した通信インターフェイスなど、各種の通信インターフェイスのうちの１以上を含む。データ通信は有線通信でも無線通信でもよい。
【０１１１】
通信部９により送受信されるデータは暗号化されていてよい。その場合、例えば、制御部７及び／又はデータ処理部８は、通信部９により送信されるデータを暗号化する暗号化処理部、及び、通信部９により受信されたデータを復号化する復号化処理部の少なくとも一方を含む。
【０１１２】
［他の要素］
図１に示す要素に加え、スリットランプ顕微鏡１は、表示デバイスや操作デバイスを備えていてよい。或いは、表示デバイスや操作デバイスは、スリットランプ顕微鏡１の周辺機器であってもよい。
【０１１３】
表示デバイスは、制御部７の制御を受けて各種の情報を表示する。表示デバイスは、液晶ディスプレイ（ＬＣＤ）などのフラットパネルディスプレイを含んでいてよい。
【０１１４】
操作デバイスは、スリットランプ顕微鏡１を操作するためのデバイスや、情報を入力するためのデバイスを含む。操作デバイスは、例えば、ボタン、スイッチ、レバー、ダイアル、ハンドル、ノブ、マウス、キーボード、トラックボール、操作パネルなどを含む。
【０１１５】
タッチスクリーンのように、表示デバイスと操作デバイスとが一体化したデバイスを用いてもよい。
【０１１６】
被検者や補助者は、表示デバイス及び操作デバイスを用いることで、スリットランプ顕微鏡１の操作を行うことができる。
【０１１７】
［アライメント］
被検眼Ｅに対するスリットランプ顕微鏡１のアライメントについて説明する。一般に、アライメントは、被検眼Ｅの撮影や測定のために好適な位置に装置光学系を配置させる動作である。本実施形態のアライメントは、図３に示すような動画像を取得するために好適な位置に照明系２及び撮影系３を配置させる動作である。
【０１１８】
眼科装置のアライメントには様々な手法がある。以下、幾つかのアライメント手法を例示するが、本実施形態に適用可能な手法はこれらに限定されない。
【０１１９】
本実施形態に適用可能なアライメント手法としてステレオアライメントがある。ステレオアライメントは、２以上の異なる方向から前眼部を撮影可能な眼科装置において適用可能であり、その具体的な手法は、本出願人による特開２０１３−２４８３７６号公報などに開示されている。ステレオアライメントは、例えば次の工程を含む：２以上の前眼部カメラが前眼部を異なる方向から撮影して２以上の撮影画像を取得する工程；プロセッサがこれら撮影画像を解析して被検眼の３次元位置を求める工程；求められた３次元位置に基づいてプロセッサが光学系の移動制御を行う工程。これにより、光学系（本例では照明系２及び撮影系３）が、被検眼に対して好適な位置に配置される。典型的なステレオアライメントでは、被検眼の瞳孔（瞳孔の中心又は重心）の位置が基準とされる。
【０１２０】
このようなステレオアライメントの他にも、アライメント光により得られるプルキンエ像を利用した手法や、光テコを利用した手法など、任意の公知のアライメント手法を採用することが可能である。プルキンエ像を利用した手法や光テコを利用した手法では、被検眼の角膜頂点の位置が基準とされる。
【０１２１】
なお、以上の例示を含む従来の典型的なアライメント手法は、被検眼の軸と光学系の光軸とを一致させることを目的として行われるが、本実施形態では、スキャン開始位置に対応する位置に照明系２及び撮影系３を配置させるようにアライメントを実行することが可能である。
【０１２２】
本実施形態におけるアライメントの第１の例として、上記したアライメント手法のいずれかを適用して被検眼Ｅの瞳孔又は角膜頂点を基準としたアライメントを行った後、予め設定された角膜半径の標準値に相当する距離だけ照明系２及び撮影系３を（Ｘ方向に）移動することができる。なお、標準値を用いる代わりに、被検眼Ｅの角膜半径の測定値を用いてもよい。
【０１２３】
第２の例として、上記したアライメント手法のいずれかを適用して被検眼Ｅの瞳孔又は角膜頂点を基準としたアライメントを行った後、被検眼Ｅの前眼部の画像を解析して角膜半径を測定し、この測定値に相当する距離だけ照明系２及び撮影系３を（Ｘ方向に）移動することができる。本例で解析される前眼部の画像は、例えば、撮影系３により得られた前眼部画像、又は、他の画像である。他の画像は、前眼部カメラにより得られた画像、前眼部ＯＣＴにより得られた画像など、任意の画像であってよい。
【０１２４】
第３の例として、ステレオアライメント用の前眼部カメラ又は撮影系３により得られた前眼部の画像を解析して角膜の第１端部を求め、ステレオアライメントを適用してこの第１端部に対応する位置に照明系２及び撮影系３を移動することができる。
【０１２５】
なお、上記したアライメント手法のいずれかを適用して被検眼Ｅの瞳孔又は角膜頂点を基準としたアライメントを実行し、これにより決定された位置からスリット光による前眼部スキャンを開始するようにしてもよい。この場合においても、角膜Ｃの全体をスキャンするようにスキャンシーケンスを設定することができる。例えば、当該アライメントにより決定された位置から左方にスキャンを行った後、右方にスキャンを行うように、スキャンシーケンスが設定される。
【０１２６】
［その他の事項］
スリットランプ顕微鏡１は、被検眼Ｅを固視させるための光（固視光）を出力する固視系を備えていてよい。固視系は、典型的には、少なくとも１つの可視光源（固視光源）、又は、風景チャートや固視標等の画像を表示する表示デバイスを含む。固視系は、例えば、照明系２又は撮影系３と同軸又は非同軸に配置される。
【０１２７】
スリットランプ顕微鏡１により取得可能な画像の種別は、前述した前眼部の動画像（複数の前眼部画像）に限定されない。例えば、スリットランプ顕微鏡１は、この動画像に基づく３次元画像、この３次元画像に基づくレンダリング画像、徹照像、被検眼に装用されたコンタクトレンズの動きを表す動画像、蛍光剤適用によるコンタクトレンズと角膜表面との隙間を表す画像などがある。レンダリング画像については他の実施形態において説明する。徹照像は、照明光の網膜反射を利用して眼内の混濁や異物を描出する徹照法により得られる画像である。なお、眼底撮影、角膜内皮細胞撮影、マイボーム腺撮影などが可能であってもよい。
【０１２８】
［使用形態］
スリットランプ顕微鏡１（これを含むシステム）の使用形態を説明する。図４は使用形態の例を示す。
【０１２９】
図示は省略するが、任意の段階で、被検者又は補助者は、スリットランプ顕微鏡１に被検者情報を入力する。入力された被検者情報は、制御部７に保存される。被検者情報は、典型的には、被検者の識別情報（被検者ＩＤ）を含む。
【０１３０】
更に、背景情報の入力を行うことができる。背景情報は、被検者に関する任意の情報であって、その例として、被検者の問診情報、所定のシートに被検者が記入した情報、被検者の電子カルテに記録された情報などがある。典型的には、背景情報は、性別、年齢、身長、体重、疾患名、候補疾患名、検査結果（視力値、眼屈折力値、眼圧値など）、屈折矯正具（眼鏡、コンタクトレンズなど）の装用歴や度数、検査歴、治療歴などがある。これらは例示であって、背景情報はこれらに限定されない。
【０１３１】
（Ｓ１：テーブル、イス、顎受け台を調整）
まず、スリットランプ顕微鏡１が設置されているテーブル、被検者が座るイス、スリットランプ顕微鏡１の顎受け台の調整が行われる（いずれも図示を省略する）。例えば、テーブル、イス、顎受け台の高さ調整が行われる。これらの調整は、例えば、被検者自身によって行われる。或いは、補助者がこれら調整のいずれかを行ってもよい。なお、顎受け台には、被検者の顔を安定配置させるための顎受け部及び額当てが設けられている。
【０１３２】
（Ｓ２：撮影開始を指示）
ステップＳ１の調整が完了したら、被検者は、イスに腰掛け、顎受けに顎を載せ、額当てに額を当接させる。これらの動作の前又は後に、被検者又は補助者は、被検眼の撮影開始の指示操作を行う。この操作は、例えば、図示しない撮影開始トリガーボタンの押下である。
【０１３３】
（Ｓ３：アライメント）
ステップＳ２の指示を受けて、スリットランプ顕微鏡１は、前述した要領で、被検眼Ｅに対するアライメントを行う。アライメントの完了後にフォーカス調整を行うようにしてもよい。
【０１３４】
（Ｓ４：前眼部をスキャン）
スリットランプ顕微鏡１は、前述した要領で、照明系２によるスリット光の照射と、撮影系３による動画撮影と、移動機構６による照明系２及び撮影系３の移動とを組み合わせることで、被検眼Ｅの前眼部をスキャンする。これにより、例えば、図３に示す複数の前眼部画像Ｆ１〜ＦＮが得られる。
【０１３５】
データ処理部８は、前眼部画像Ｆ１〜ＦＮの少なくともいずれかを処理することができる。例えば、他の実施形態で説明するように、データ処理部８は、前眼部画像Ｆ１〜ＦＮに基づいて３次元画像を構築することができる。また、所定の画像処理や所定の画像解析を行うことも可能である。
【０１３６】
（Ｓ５：画像を送信）
制御部７は、通信部９を制御して、スリットランプ顕微鏡１により取得された前眼部の画像（前眼部画像Ｆ１〜ＦＮ、前眼部画像Ｆ１〜ＦＮの一部、前眼部画像Ｆ１〜ＦＮに基づく３次元画像など）を他の装置に送信する。
【０１３７】
他の装置の例として情報処理装置や記憶装置がある。情報処理装置は、例えば、広域回線上のサーバ、ＬＡＮ上のサーバ、コンピュータ端末などである。記憶装置は、広域回線上に設けられた記憶装置、ＬＡＮ上に設けられた記憶装置などである。
【０１３８】
前眼部の画像とともに背景情報を送信することができる。また、前眼部の画像とともに被検者の識別情報が送信される。この識別情報は、スリットランプ顕微鏡１に入力された被検者ＩＤ（前述）でもよいし、被検者ＩＤに基づき生成された識別情報でもよい。後者の例として、スリットランプ顕微鏡１が設置されている施設内での個人識別に用いられる被検者ＩＤ（内部識別情報）を、当該施設外にて用いられる外部識別情報に変換することができる。これにより、前眼部の画像や背景情報などの個人情報に関する情報セキュリティの向上を図ることが可能である。
【０１３９】
（Ｓ６：観察及び診断）
ステップＳ５でスリットランプ顕微鏡１から送信された被検眼Ｅの前眼部の画像（及び、被検者の識別情報、背景情報など）は、直接的又は間接的に、例えば医師（又はオプトメトリスト）が使用する情報処理装置に送られる。
【０１４０】
医師（又はオプトメトリスト）は、被検眼Ｅの前眼部の画像を観察することができる。このとき、例えば、前眼部画像Ｆ１〜ＦＮを所定数枚ずつ表示させることや、前眼部画像Ｆ１〜ＦＮを一覧表示することや、前眼部画像Ｆ１〜ＦＮをスライドショー表示することや、前眼部画像Ｆ１〜ＦＮから３次元画像を構築することや、３次元画像のレンダリング画像を表示することが可能である。
【０１４１】
医師（又はオプトメトリスト）は、被検眼Ｅの前眼部の画像を観察することで画像診断（読影）を行うことができる。医師（又はオプトメトリスト）は、読影で得た情報が記録されたレポートを作成することができる。レポートは、例えば、スリットランプ顕微鏡１が設置されている施設に送信される。或いは、被検者が登録したアドレス情報（電子メールアドレス、住所など）にレポートを送信してもよい。以上で、本例に係る処理は終了となる。
【０１４２】
［効果］
本実施形態により奏される効果を説明する。
【０１４３】
スリットランプ顕微鏡１は、照明系２と、撮影系３と、移動機構６とを含む。照明系２は、被検眼Ｅの前眼部にスリット光を照射する。撮影系３は、スリット光が照射されている前眼部からの光を導く光学系４と、光学系４により導かれた光を撮像面で受光する撮像素子５とを含む。移動機構６は、照明系２及び撮影系３を移動する。
【０１４４】
照明系２の光軸（照明光軸）２ａに沿う物面と、光学系４と、撮像素子５の撮像面とが、シャインプルーフの条件を満足するように、照明系２及び撮影系３が構成されている。
【０１４５】
撮影系３は、移動機構６による照明系２及び撮影系３の移動と並行して繰り返し撮影を行うことにより、被検眼Ｅの前眼部の複数の画像を取得する。典型的には、この繰り返し撮影は動画撮影であり、それにより、複数の前眼部画像からなる動画像が取得される。
【０１４６】
このようなスリットランプ顕微鏡１によれば、照明系２及び撮影系３を移動することにより、被検眼Ｅの前眼部の３次元領域をスリット光でスキャンすることができ、当該３次元領域を表す画像を取得することができる。したがって、医師やオプトメトリストは、スリットランプ顕微鏡１によって取得された画像を観察して前眼部の所望の部位の状態を把握することが可能である。
【０１４７】
また、スリットランプ顕微鏡１により取得された画像を、遠隔地にいる医師やオプトメトリストに提供することができる。典型的には、スリットランプ顕微鏡１は、通信部９により、被検眼Ｅの前眼部について取得された画像を、医師やオプトメトリストが使用する情報処理装置に向けて送信することができる。なお、通信部９を設けることは任意的である。スリットランプ顕微鏡１により取得された画像の提供方法は、このようなデータ通信に限定されず、画像が記録された記録媒体や印刷媒体を提供するなどの方法であってもよい。記録媒体への記録は当該記録媒体に準拠した記録デバイス（データライタ）により行われ、印刷媒体への記録は印刷装置により行われる。
【０１４８】
また、スリットランプ顕微鏡１は、照明光軸２ａに沿う物面と光学系４と撮像素子５の撮像面とがシャインプルーフの条件を満足するように構成されているので、深さ方向（Ｚ方向）の広い範囲にピントを合わせることが可能である。例えば、照明系２及び撮影系３は、少なくとも角膜前面及び水晶体後面により画成される部位に撮影系３のピントが合うように構成される。これにより、スリットランプ顕微鏡検査の対象となる前眼部の主要な部位の全体を高精細に画像化することが可能になる。なお、ピントが合う範囲は、角膜前面及び水晶体後面により画成される領域に限定されず、任意に設定可能である。
【０１４９】
シャインプルーフの条件を満足しない構成が適用される場合において、深さ方向の広い範囲にピントを合わせて３次元領域を撮影するには、前眼部の各箇所にピントを合わせつつ、角膜前面の形状に応じた曲線状の経路に沿って照明系及び撮影系を移動させる必要があるが、このような操作や制御は煩雑であり、実用的とは言えない。
【０１５０】
また、照明系２は、被検者の体軸方向（Ｙ方向）を長手方向とするスリット光を前眼部に照射されていてよい。更に、移動機構６は、被検者の体軸方向に直交する方向（Ｘ方向）に照明系２及び撮影系３を移動可能に構成されていてよい。なお、スリット光の向きや移動方向はこれらに限定されず、任意に設定可能であるが、典型的には移動方向はスリット光の幅方向に設定される。
【０１５１】
体軸方向を長手方向とするスリット光が照射され、且つ、体軸方向に直交する方向に照明系２及び撮影系３が移動される場合において、スリット光の長さ（体軸方向におけるスリット光の寸法）が体軸方向における角膜径以上になるように、照明系２を構成することができる。加えて、移動機構６による照明系２及び撮影系３の移動距離が、体軸方向に直交する方向（Ｘ方向）における角膜径以上であるように、移動機構６を構成することができる。この角膜径は、被検眼Ｅの角膜径でもよいし、標準的な角膜径でもよい。なお、スリット光の長さや移動距離はこれらに限定されず、任意に設定可能である。
【０１５２】
このような構成によれば、角膜全体について画像を取得することができる。更に、シャインプルーフの条件を満足する構成と組み合わせることで、角膜全体を表すとともに十分な深さ範囲を表す画像を取得することが可能になる。
【０１５３】
以上のように、スリットランプ顕微鏡１によれば、専門技術の保持者が微細で煩雑な操作を行わなくとも、前眼部の広い範囲（３次元領域）を表す高品質の画像を自動で取得することができる。読影者は、スリットランプ顕微鏡１により取得された画像の提供を受けて観察や診断を行うことが可能である。
【０１５４】
したがって、専門技術保持者が不足しているという問題の解消を図ることができ、高品質なスリットランプ顕微鏡検査を広く提供することが可能となる。例えば、このようなスリットランプ顕微鏡１は、前眼部疾患などのスクリーニングにおいて有効と言える。
【０１５５】
以下、スリットランプ顕微鏡１に組み合わせることが可能な例示的機能及び例示的構成について説明する。以下の実施形態において、第１実施形態と同様の要素を同じ符号で示すことがある。また、以下の実施形態において示す図において、第１実施形態と同様の要素を省略することがある。
【０１５６】
〈第２実施形態〉
本実施形態では、第１実施形態のスリットランプ顕微鏡１に適用可能な光学系の構成について説明する。その一例を図５に示す。なお、図５に示す要素群に加えて、他の実施形態に示す要素が設けられていてよい。例えば、第１の実施形態の制御部７、データ処理部８、通信部９などが設けられていてよい。
【０１５７】
図５に示す照明系２０は第１実施形態の照明系２の例であり、左撮影系３０Ｌ及び右撮影系３０Ｒは撮影系３の例である。符号２０ａは照明系２０の光軸（照明光軸）を示し、符号３０Ｌａは左撮影系３０Ｌの光軸（左撮影光軸）を示し、符号３０Ｒａは右撮影系３０Ｒの光軸（右撮影光軸）を示す。左撮影光軸３０Ｌａと右撮影光軸３０Ｒａとは、互いに異なる向きに配置されている。照明光軸２０ａと左撮影光軸３０Ｌａとがなす角度をθＬで示し、照明光軸２０ａと右撮影光軸３０Ｒａとがなす角度をθＲで示す。角度θＬと角度θＲとは、互いに等しくてもよいし異なってもよい。照明光軸２０ａと左撮影光軸３０Ｌａと右撮影光軸３０Ｒａとは、一点で交差する。図１と同様に、この交点のＺ座標をＺ０で示す。
【０１５８】
移動機構６は、照明系２０、左撮影系３０Ｌ及び右撮影系３０Ｒを、矢印４９で示す方向（Ｘ方向）に移動可能である。典型的には、照明系２０、左撮影系３０Ｌ及び右撮影系３０Ｒは、少なくともＸ方向に移動可能なステージ上に載置されており、且つ、移動機構６は、制御部７からの制御信号にしたがって、この可動ステージを移動させる。
【０１５９】
照明系２０は、被検眼Ｅの前眼部にスリット光を照射する。照明系２０は、従来のスリットランプ顕微鏡の照明系と同様に、被検眼Ｅから遠い側から順に、照明光源２１と、正レンズ２２と、スリット形成部２３と、対物レンズ群２４及び２５とを含む。
【０１６０】
照明光源２１から出力された照明光（典型的には可視光）は、正レンズ２２により屈折されてスリット形成部２３に投射される。投射された照明光の一部は、スリット形成部２３が形成するスリットを通過してスリット光となる。生成されたスリット光は、対物レンズ群２４及び２５により屈折された後、ビームスプリッタ４７により反射され、被検眼Ｅの前眼部に照射される。
【０１６１】
左撮影系３０Ｌは、反射器３１Ｌと、結像レンズ３２Ｌと、撮像素子３３Ｌとを含む。反射器３１Ｌ及び結像レンズ３２Ｌは、照明系２０によりスリット光が照射されている前眼部からの光（左撮影系３０Ｌの方向に進行する光）を撮像素子３３Ｌに導く。
【０１６２】
前眼部から左撮影系３０Ｌの方向に進行する光は、スリット光が照射されている前眼部からの光であって、照明光軸２０ａから離れる方向に進行する光である。反射器３１Ｌは、当該光を照明光軸２０ａに近づく方向に反射する。結像レンズ３２Ｌは、反射器３１Ｌにより反射された光を屈折して撮像素子３３Ｌの撮像面３４Ｌに結像する。撮像素子３３Ｌは、当該光を撮像面３４Ｌにて受光する。
【０１６３】
第１実施形態と同様に、左撮影系３０Ｌは、移動機構６による照明系２０、左撮影系３０Ｌ及び右撮影系３０Ｒの移動と並行して繰り返し撮影を行う。これにより複数の前眼部画像が得られる。
【０１６４】
第１実施形態と同様に、照明光軸２０ａに沿う物面と、反射器３１Ｌ及び結像レンズ３２Ｌを含む光学系と、撮像面３４Ｌとは、シャインプルーフの条件を満足する。より具体的には、反射器３１Ｌによる撮影系３０Ｌの光路の偏向を考慮すると、照明光軸２０ａを通るＹＺ面（物面を含む）と、結像レンズ３２Ｌの主面と、撮像面３４Ｌとが、同一の直線上にて交差する。これにより、左撮影系３０Ｌは、物面内の全ての位置（例えば、角膜前面から水晶体後面までの範囲）にピントを合わせて撮影を行うことができる。
【０１６５】
右撮影系３０Ｒは、反射器３１Ｒと、結像レンズ３２Ｒと、撮像素子３３Ｒとを含む。左撮影系３０Ｌと同様に、右撮影系３０Ｒは、照明系２０によりスリット光が照射されている前眼部からの光を、反射器３１Ｒ及び結像レンズ３２Ｒによって、撮像素子３３Ｒの撮像面３４Ｒに導く。更に、左撮影系３０Ｌと同様に、右撮影系３０Ｒは、移動機構６による照明系２０、左撮影系３０Ｌ及び右撮影系３０Ｒの移動と並行して繰り返し撮影を行うことで、複数の前眼部画像を取得する。左撮影系３０Ｌと同様に、照明光軸２０ａに沿う物面と、反射器３１Ｒ及び結像レンズ３２Ｒを含む光学系と、撮像面３４Ｒとは、シャインプルーフの条件を満足する。
【０１６６】
制御部７は、左撮影系３０Ｌによる繰り返し撮影と、右撮影系３０Ｒによる繰り返し撮影とを同期させることができる。これにより、左撮影系３０Ｌにより得られた複数の前眼部画像と、右撮影系３０Ｒにより得られた複数の前眼部画像との間の対応関係が得られる。この対応関係は、時間的な対応関係であり、より具体的には、実質的に同時に取得された画像同士をペアリングするものである。
【０１６７】
或いは、制御部７又はデータ処理部８は、左撮影系３０Ｌにより得られた複数の前眼部画像と、右撮影系３０Ｒにより得られた複数の前眼部画像との間の対応関係を求める処理を実行することができる。例えば、制御部７又はデータ処理部８は、左撮影系３０Ｌから逐次に入力される前眼部画像と、右撮影系３０Ｒから逐次に入力される前眼部画像とを、それらの入力タイミングによってペアリングすることができる。
【０１６８】
本実施形態は、動画撮影系４０を更に含む。動画撮影系４０は、左撮影系３０Ｌ及び右撮影系３０Ｒによる撮影と並行して、被検眼Ｅの前眼部を固定位置から動画撮影する。「固定位置から動画撮影」とは、照明系２０、左撮影系３０Ｌ及び右撮影系３０Ｒと異なり、動画撮影系４０が移動機構６により移動されないことを表す。
【０１６９】
本実施形態の動画撮影系４０は、照明系２０と同軸に配置されているが、その配置はこれに限定されない。例えば、照明系２０と非同軸に動画撮影系を配置することができる。また、動画撮影系４０が感度を有する帯域の照明光で前眼部を照明する光学系が設けられていてもよい。
【０１７０】
ビームスプリッタ４７を透過した光は、反射器４８により反射されて動画撮影系４０に入射する。動画撮影系４０に入射した光は、対物レンズ４１により屈折された後、結像レンズ４２によって撮像素子４３の撮像面に結像される。撮像素子４３はエリアセンサである。
【０１７１】
動画撮影系４０が設けられている場合、被検眼Ｅの動きをモニタすることや、トラッキングを行うことができる。トラッキングは、被検眼Ｅの動きに光学系を追従させるための処理である。このような処理については他の実施形態で説明する。
【０１７２】
照明系２０の出力波長及び動画撮影系４０の検出波長に応じ、ビームスプリッタ４７は、例えばダイクロイックミラー又はハーフミラーである。
【０１７３】
本実施形態により奏される効果を説明する。
【０１７４】
本実施形態は、第１実施形態の撮影系３の例であり、左撮影系３０Ｌと右撮影系３０Ｒとを含む。左撮影系３０Ｌと右撮影系３０Ｒとの組み合わせは、第１撮影系と第２撮影系との組み合わせの例である。
【０１７５】
左撮影系３０Ｌは、スリット光が照射されている前眼部からの光を導く反射器３１Ｌ及び結像レンズ３２Ｌ（第１光学系）と、導かれた光を撮像面３４Ｌ（第１撮像面）で受光する撮像素子３３Ｌ（第１撮像素子）とを含む。同様に、右撮影系３０Ｒは、スリット光が照射されている前眼部からの光を導く反射器３１Ｒ及び結像レンズ３２Ｒ（第２光学系）と、導かれた光を撮像面３４Ｒ（第２撮像面）で受光する撮像素子３３Ｒ（第２撮像素子）とを含む。
【０１７６】
左撮影系３０Ｌの光軸（左撮影光軸３０Ｌａ）と右撮影系３０Ｒの光軸（右撮影光軸３０Ｒａ）とは、互いに異なる向きに配置されている。更に、照明系２０の光軸（照明光軸２０ａ）に沿う物面と、反射器３１Ｌ及び結像レンズ３２Ｌと、撮像面３４Ｌとは、シャインプルーフの条件を満足する。同様に、当該物面と、反射器３１Ｌ及び結像レンズ３２Ｌと、撮像面３４Ｌとは、シャインプルーフの条件を満足する。
【０１７７】
左撮影系３０Ｌは、移動機構６による照明系２０、左撮影系３０Ｌ及び右撮影系３０Ｒの移動と並行して繰り返し撮影を行うことにより第１画像群を取得する。同様に、右撮影系３０Ｒは、移動機構６による照明系２０、左撮影系３０Ｌ及び右撮影系３０Ｒの移動と並行して繰り返し撮影を行うことにより第２画像群を取得する。
【０１７８】
このような構成によれば、スリット光が照射されている前眼部を、互いに異なる方向からそれぞれ動画撮影することができる。一方の撮影系により取得された画像にアーティファクトが含まれる場合であっても、他方の撮影系により当該画像と実質的に同時に取得された画像にはアーティファクトが含まれない場合がある。また、双方の撮影系により実質的に同時に取得された一対の画像の双方にアーティファクトが含まれる場合であって、一方の画像中のアーティファクトが注目領域（例えばスリット光照射領域）に重なっている場合でも、他方の画像中のアーティファクトが注目領域に重なっていない場合がある。したがって、好適な画像を取得できる可能性が高まる。実質的に同時に取得された一対の画像から好適な画像を取得する処理については後述する。
【０１７９】
なお、撮影系３は、第１撮影系及び第２撮影系に加え、同様の構成の第３撮影系、・・・、第Ｋ撮影系（Ｋは３以上の整数）を含んでいてもよい。
【０１８０】
本実施形態の左撮影系３０Ｌは、反射器３１Ｌと結像レンズ３２Ｌとを含む。反射器３１Ｌは、スリット光が照射されている前眼部からの光であって、照明光軸２０ａから離れる方向に進行する光を、照明光軸２０ａに近づく方向に反射する。更に、結像レンズ３２Ｌは、反射器３１Ｌにより反射された光を撮像面３４Ｌに結像させる。ここで、結像レンズ３２Ｌは、１以上のレンズを含む。
【０１８１】
同様に、右撮影系３０Ｒは、反射器３１Ｒと結像レンズ３２Ｒとを含む。反射器３１Ｒは、スリット光が照射されている前眼部からの光であって、照明光軸２０ａから離れる方向に進行する光を、照明光軸２０ａに近づく方向に反射する。更に、結像レンズ３２Ｒは、反射器３１Ｒにより反射された光を撮像面３４Ｒに結像させる。ここで、結像レンズ３２Ｒは、１以上のレンズを含む。
【０１８２】
このような構成によれば、装置の小型化を図ることが可能である。すなわち、撮像素子３３Ｌ（３３Ｒ）により取得された画像は、撮像面３４Ｌ（３４Ｒ）の反対側の面から延びるケーブルを通じて出力されるが、本構成によれば、照明光軸２０ａに比較的近接して位置する撮像素子３３Ｌ（３３Ｒ）の背面から被検眼Ｅとは反対方向に向かって、ケーブルを配置することができる。したがって、ケーブルの引き回しを好適に行うことができ、装置の小型化を図ることが可能になる。
【０１８３】
また、本構成によれば、角度θＬ及び角度θＲを大きく設定することが可能となるため、一方の撮影系により取得された画像にアーティファクトが含まれる場合において、他方の撮影系により当該画像と実質的に同時に取得された画像にアーティファクトが含まれない可能性を高めることができる。また、双方の撮影系により実質的に同時に取得された一対の画像の双方にアーティファクトが含まれる場合であって、一方の画像中のアーティファクトが注目領域（例えばスリット光照射領域）に重なっている場合において、他方の画像中のアーティファクトが注目領域に重なっている可能性を低減することができる。
【０１８４】
本実施形態は、動画撮影系４０を含む。左撮影系３０Ｌ及び右撮影系３０Ｒは、移動機構６による照明系２０、左撮影系３０Ｌ及び右撮影系３０Ｒの移動と並行して、前眼部を繰り返し撮影する。この繰り返し撮影と並行して、動画撮影系４０は、前眼部を固定位置から動画撮影する。
【０１８５】
このような構成によれば、スリット光による前眼部のスキャンと並行して固定位置（例えば正面）から動画撮影を行うことで、スキャン中における被検眼Ｅの状態を把握することや、被検眼Ｅの状態に応じた制御を行うことが可能である。その例については他の実施形態にて説明する。
【０１８６】
図５に示す構成の代わりに適用可能な光学系の例を図６に示す。なお、要素毎の符号は省略する。本例に係る光学系の左撮影系３０Ｌ’において、反射器は、スリット光が照射されている前眼部からの光であって、照明光軸２０ａ’から離れる方向に進行する光を、照明光軸２０ａから更に離れる方向に反射する。更に、結像レンズは、反射器により反射された光を撮像素子の撮像面に結像させる。
【０１８７】
このような構成を採用することも可能であるが、照明光軸２０ａ’から比較的遠くに位置する撮像素子の背面から側方（又は被検眼Ｅに向かう方向）にケーブルが配置されるため、ケーブルの引き回しを好適に行えないという問題が伴う。
【０１８８】
〈第３実施形態〉
本実施形態では、第１実施形態のスリットランプ顕微鏡１に適用可能な処理系の構成について説明する。なお、本実施形態の撮影系３においては、例えば第２実施形態で説明した図５のように、左撮影光軸３０Ｌａと右撮影光軸３０Ｒａとが照明光軸２０ａに対して互いに反対の方向に傾斜して配置されている。本実施形態の処理系は、次のようなアーティファクトに係る処理を実行する。
【０１８９】
図７に示すデータ処理部８Ａは、第１実施形態のデータ処理部８の例である。データ処理部８Ａは画像選択部８１を含む。
【０１９０】
画像選択部８１は、左撮影系３０Ｌ及び右撮影系３０Ｒにより実質的に同時に取得された２つの画像のいずれかにアーティファクトが含まれるか判定する。アーティファクト判定は、所定の画像解析を含み、典型的には、画素に割り当てられた輝度情報に関する閾値処理を含む。
【０１９１】
この閾値処理では、例えば、予め設定された閾値を超える輝度値が割り当てられた画素が特定される。典型的には、閾値は、画像中のスリット光照射領域の輝度値よりも高く設定される。この場合、画像選択部８１は、スリット光の照射領域をアーティファクトとして判定せず、且つ、それよりも明るい像（例えば正反射像）をアーティファクトとして判定する。
【０１９２】
画像選択部８１は、アーティファクト判定のために、例えば、パターン認識、セグメンテーション、エッジ検出など、閾値処理以外の任意の画像解析を実行してもよい。一般に、画像解析、画像処理、人工知能、コグニティブ・コンピューティングなど、任意の情報処理技術を、アーティファクト判定に適用することが可能である。
【０１９３】
アーティファクト判定の結果、左撮影系３０Ｌ及び右撮影系３０Ｒにより実質的に同時に取得された２つの画像の一方の画像にアーティファクトが含まれると判定されたとき、画像選択部８１は、他方の画像を選択する。つまり、画像選択部８１は、これら２つの画像のうち、アーティファクトが含まれると判定された画像ではない方の画像を選択する。
【０１９４】
双方の画像にアーティファクトが含まれる場合、画像選択部８１は、例えば、アーティファクトが観察や診断に与える悪影響を評価し、悪影響が小さい側の画像を選択することができる。この評価は、例えば、アーティファクトの大きさ及び／又は位置に基づき行われる。典型的には、含まれるアーティファクトが大きい画像は悪影響が大きいと評価され、スリット光照射領域などの注目領域やその近傍にアーティファクトが位置している画像は悪影響が大きいと評価される。
【０１９５】
なお、双方の画像にアーティファクトが含まれる場合、第４実施形態で説明するアーティファクト除去を適用してもよい。
【０１９６】
第２実施形態で説明したように、左撮影系３０Ｌは、移動機構６による照明系２０、左撮影系３０Ｌ及び右撮影系３０Ｒの移動と並行して繰り返し撮影を行うことにより第１画像群を取得する。同様に、右撮影系３０Ｒは、移動機構６による照明系２０、左撮影系３０Ｌ及び右撮影系３０Ｒの移動と並行して繰り返し撮影を行うことにより第２画像群を取得する。繰り返し撮影は典型的には動画撮影であり、第１画像群及び第２画像群のそれぞれは、動画像を構成するフレーム群である。また、前述したように、第１画像群及び第２画像群のうち実質的に同時に取得された画像同士がペアリングされている。
【０１９７】
画像選択部８１は、ペアリングされた２つの画像（第１画像群からの画像と第２画像群からの画像との組み合わせ）のうちの１つを選択する。これにより、例えば、複数の画像ペアのそれぞれから１つの画像が選択され、実質的にアーティファクトを含まない複数の画像が選択される。
【０１９８】
データ処理部８Ａは、３次元画像構築部８２を更に含む。３次元画像構築部８２は、画像選択部８１により第１画像群及び第２画像群から選択された画像を含む画像群に基づいて３次元画像を構築する。この画像群は、画像選択部８１により第１画像群及び第２画像群から選択された複数の画像のいずれかのみを含んでいてもよいし、これら以外の画像を更に含んでいてもよい。
【０１９９】
なお、３次元画像は、３次元座標系によって画素の位置が定義された画像（画像データ）である。３次元画像の例として、スタックデータやボリュームデータがある。スタックデータは、複数の２次元画像をそれらの位置関係に応じて単一の３次元座標系に埋め込むことで構築される。ボリュームデータは、ボクセルデータとも呼ばれ、例えば、スタックデータにボクセル化を適用することで構築される。
【０２００】
３次元画像を構築する処理の例を説明する。３次元画像構築が適用される画像群は、図３に示す複数の前眼部画像（フレーム群）Ｆ１、Ｆ２、Ｆ３、・・・、ＦＮであるとする。前眼部画像Ｆｎにはスリット光照射領域Ａｎが含まれている（ｎ＝１、２、・・・、Ｎ）。
【０２０１】
３次元画像構築部８２は、前眼部画像Ｆｎを解析してスリット光照射領域Ａｎを抽出する。スリット光照射領域Ａｎの抽出は、画素に割り当てられた輝度情報を参照して行われ、典型的には閾値処理を含む。これにより、スリット光照射領域Ａｎ（のみ）が描出されたスリット光照射領域画像Ｇｎが得られる（ｎ＝１、２、・・・、Ｎ）。図８は、複数の前眼部画像Ｆ１〜ＦＮから構築された複数のスリット光照射領域画像Ｇ１〜ＧＮの例を示す。
【０２０２】
スリット光照射領域画像Ｇｎにアーティファクトが含まれている場合、例えば公知の画像処理又は他の実施形態に係る画像処理によって、スリット光照射領域画像Ｇｎからアーティファクトを除去することができる。また、他の実施形態で説明する歪み補正を前眼部画像Ｆｎ又はスリット光照射領域画像Ｇｎに適用することができる。
【０２０３】
３次元画像構築部８２は、複数のスリット光照射領域画像Ｇ１〜ＧＮの少なくとも一部に基づいて３次元画像を構築する。３次元画像やその構築の詳細については、他の実施形態で説明する。
【０２０４】
本実施形態により奏される効果を説明する。
【０２０５】
本実施形態では、例えば図５に示すように、左撮影光軸３０Ｌａと右撮影光軸３０Ｒａとが、照明光軸２０ａに対して互いに反対の方向に傾斜して配置されている。本実施形態のデータ処理部８Ａは画像選択部８１を含む。画像選択部８１は、左撮影系３０Ｌ及び右撮影系３０Ｒにより実質的に同時に取得された２つの画像のいずれかにアーティファクトが含まれるか判定する。２つの画像のうちの一方の画像にアーティファクトが含まれると判定された場合、画像選択部８１は、２つの画像のうちの他方の画像、つまりアーティファクトが含まれていない画像、を選択する。
【０２０６】
このような構成によれば、観察や診断の妨げになるアーティファクト（正反射像など）を含まない画像を選択することが可能である。
【０２０７】
更に、本実施形態のデータ処理部８Ａは３次元画像構築部８２を含む。３次元画像構築部８２は、左撮影系３０Ｌにより取得された複数の画像及び右撮影系３０Ｒにより取得された複数の画像のうちから画像選択部８１によって選択された画像を含む画像群に基づいて、被検眼Ｅの前眼部を表す３次元画像を構築する。
【０２０８】
このような構成によれば、観察や診断の妨げになるアーティファクトを含まない画像群に基づいて、前眼部の３次元画像を構築することが可能である。
【０２０９】
〈第４実施形態〉
本実施形態では、第１実施形態のスリットランプ顕微鏡１に適用可能な処理系の構成について説明する。
【０２１０】
本実施形態の撮影系３においては、第２実施形態で説明した図５のように、左撮影光軸３０Ｌａと右撮影光軸３０Ｒａとが照明光軸２０ａに対して互いに反対の方向に傾斜して配置されていてもよいし、或いは、２つの撮影光軸が照明光軸に対して同じ方向に配置されていてもよい。後者の場合、２つの撮影光軸のうちの一方の撮影光軸と照明光軸とがなす角度と、他方の撮影光軸と照明光軸とがなす角度とは、互いに異なる。また、いずれの場合においても、照明光軸に対する一方の撮影光軸の位置と、照明光軸に対する他方の撮影光軸の位置とは、互いに異なる。本実施形態の処理系は、次のようなアーティファクトに係る処理を実行する。
【０２１１】
図９に示すデータ処理部８Ｂは、第１実施形態のデータ処理部８の例である。データ処理部８Ｂはアーティファクト除去部８３を含む。
【０２１２】
アーティファクト除去部８３は、左撮影系３０Ｌ及び右撮影系３０Ｒにより実質的に同時に取得された２つの画像を比較することにより、これら２つの画像のいずれかにアーティファクトが含まれるか判定する。ここで、左撮影系３０Ｌ及び右撮影系３０Ｒにより実質的に同時に取得された２つの画像は、例えば、前述した画像のペアリングによって互いに対応付けられたものである。
【０２１３】
前述したように、本実施形態では、照明光軸に対する一方の撮影光軸の位置と、照明光軸に対する他方の撮影光軸の位置とが、互いに異なっている。したがって、一方の撮影系（例えば左撮影系３０Ｌ）により取得された画像におけるアーティファクトの位置と、他方の撮影系（例えば右撮影系３０Ｒ）により取得された画像におけるアーティファクトの位置とが、互いに異なる。或いは、比較される２つの画像のうち一方の画像にのみアーティファクトが含まれる。
【０２１４】
アーティファクト除去部８３は、これら２つの画像のそれぞれを解析してアーティファクトを含むか判定する。アーティファクト判定は、例えば第３実施形態の画像選択部８１と同じ要領で実行される。
【０２１５】
２つの画像の一方にのみアーティファクトが含まれている場合、アーティファクト除去部８３がこのアーティファクトを除去するか、或いは第３実施形態のようにアーティファクトが含まれない画像を選択することができる。なお、２つの画像の一方にアーティファクトが含まれ、且つ、他方にアーティファクトが含まれないと判定することは、２つの画像の比較に相当する。
【０２１６】
２つの画像の双方にアーティファクトが含まれている場合、アーティファクト除去部８３は、２つの画像の一方又は双方を処理してアーティファクトを除去する。
【０２１７】
アーティファクト除去部８３は、アーティファクトが除去された画像領域に、他の画像の部分領域を貼り付けることができる。前述したように、比較される２つの画像におけるアーティファクトの位置が異なるか、或いは、これら２つの画像の一方にしかアーティファクトは含まれないので、一方の画像からアーティファクトが除去された場合、他方の画像における対応領域はアーティファクトではない。アーティファクト除去部８３は、この対応領域を他方の画像から抽出し、これをアライメントが除去された箇所に貼り付ける。
【０２１８】
或いは、第２実施形態の動画撮影系４０のように他の撮影系が設けられている場合、それにより取得された前眼部の画像における対応領域を抽出し、これをアライメントが除去された箇所に貼り付けることが可能である。
【０２１９】
第２実施形態で説明したように、左撮影系３０Ｌは、移動機構６による照明系２０、左撮影系３０Ｌ及び右撮影系３０Ｒの移動と並行して繰り返し撮影を行うことにより第１画像群を取得する。同様に、右撮影系３０Ｒは、移動機構６による照明系２０、左撮影系３０Ｌ及び右撮影系３０Ｒの移動と並行して繰り返し撮影を行うことにより第２画像群を取得する。繰り返し撮影は典型的には動画撮影であり、第１画像群及び第２画像群のそれぞれは、動画像を構成するフレーム群である。また、前述したように、第１画像群及び第２画像群のうち実質的に同時に取得された画像同士がペアリングされている。アーティファクト除去部８３は、複数の画像ペアのそれぞれについて、上記のようなアライメント除去を適用する。
【０２２０】
データ処理部８Ｂは、３次元画像構築部８４を更に含む。３次元画像構築部８４は、アーティファクト除去部８３によりアーティファクトが除去された画像を含む画像群に基づいて３次元画像を構築する。この画像群は、アーティファクト除去部８３により処理された複数の画像のいずれかのみを含んでいてもよいし、これら以外の画像を更に含んでいてもよい。３次元画像やその構築の詳細については、他の実施形態で説明する。
【０２２１】
本実施形態により奏される効果を説明する。
【０２２２】
本実施形態のデータ処理部８Ｂはアーティファクト除去部８３を含む。アーティファクト除去部８３は、左撮影系３０Ｌ及び右撮影系３０Ｒにより実質的に同時に取得された２つの画像を比較することにより、これら２つの画像のいずれかにアーティファクトが含まれるか判定する。いずれかの画像にアーティファクトが含まれると判定された場合、アーティファクト除去部８３は、このアーティファクトの除去を実行する。
【０２２３】
このような構成によれば、観察や診断の妨げになるアーティファクト（正反射像など）を含まない画像を構築することが可能である。
【０２２４】
更に、本実施形態のデータ処理部８Ｂは３次元画像構築部８４を含む。３次元画像構築部８４は、アーティファクト除去部８３によりアーティファクトが除去された画像を含む画像群に基づいて、被検眼Ｅの前眼部を表す３次元画像を構築する。
【０２２５】
このような構成によれば、観察や診断の妨げになるアーティファクトを含まない画像群に基づいて、前眼部の３次元画像を構築することが可能である。
【０２２６】
〈第５実施形態〉
本実施形態では、第１実施形態のスリットランプ顕微鏡１に適用可能な処理系の構成について説明する。第３実施形態及び第４実施形態では、典型的には、第１撮影系及び第２撮影系により実質的に同時に取得された２つの画像に対してアーティファクトに関する処理を適用し、アーティファクトを含まない画像群に基づいて３次元画像を構築している。一方、アーティファクトに関する処理を経ることなく３次元画像を構築することも可能である。本実施形態は、このような場合に適用可能である。
【０２２７】
図１０に示すデータ処理部８Ｃは、第１実施形態のデータ処理部８の例である。データ処理部８Ｃは３次元画像構築部８５を含む。
【０２２８】
本実施形態の第１の例では、第１実施形態で説明したように、撮影系３が、移動機構６による照明系２及び撮影系３の移動と並行して繰り返し撮影を行うことにより、被検眼Ｅの前眼部の複数の画像を取得する。
【０２２９】
３次元画像構築部８５は、撮影系３により取得された複数の画像に基づいて３次元画像を構築することができる。３次元画像構築に用いられる画像群は、撮影系３により取得された複数の画像のいずれかのみを含んでいてもよいし、これら以外の画像を更に含んでいてもよい。３次元画像やその構築の詳細については、他の実施形態で説明する。
【０２３０】
本実施形態の第２の例では、第２実施形態で説明したように、左撮影系３０Ｌが、移動機構６による照明系２０、左撮影系３０Ｌ及び右撮影系３０Ｒの移動と並行して繰り返し撮影を行うことにより第１画像群を取得する。同様に、右撮影系３０Ｒが、移動機構６による照明系２０、左撮影系３０Ｌ及び右撮影系３０Ｒの移動と並行して繰り返し撮影を行うことにより第２画像群を取得する。第１画像群及び第２画像群のうち実質的に同時に取得された画像同士はペアリングされている。
【０２３１】
３次元画像構築部８５は、左撮影系３０Ｌにより取得された第１画像群に基づいて３次元画像を構築することができる。この３次元画像の構築に用いられる画像群は、第１画像群のいずれかのみを含んでいてもよいし、これら以外の画像を更に含んでいてもよい。同様に、３次元画像構築部８５は、右撮影系３０Ｒにより取得された第２画像群に基づいて３次元画像を構築することができる。この３次元画像の構築に用いられる画像群は、第２画像群のいずれかのみを含んでいてもよいし、これら以外の画像を更に含んでいてもよい。３次元画像やその構築の詳細については、他の実施形態で説明する。
【０２３２】
本実施形態により奏される効果を説明する。
【０２３３】
本実施形態のデータ処理部８Ｃは３次元画像構築部８５を含む。３次元画像構築部８５は、撮影系３により取得された複数の画像に基づいて３次元画像を構築する。撮影系３は、左撮影系３０Ｌ及び右撮影系３０Ｒの双方を含んでいてもよいし、これらの一方に対応する単一の撮影系のみを含んでいてもよい。
【０２３４】
このような構成によれば、被検眼Ｅの前眼部における３次元領域を表す３次元画像を構築することが可能である。３次元画像は観察や診断に有用である。
【０２３５】
〈第６実施形態〉
本実施形態は、第３〜第５実施形態のように前眼部の３次元画像を構築可能である場合に適用可能である。
【０２３６】
前述したように、３次元画像は、スリット光のスキャンによって逐次に得られた複数の画像から構築される。複数の画像から３次元画像を構築するには複数の画像を配列する必要があるが、複数の画像は異なるタイミングで得られたものであるため、高い確度、高い精度で複数の画像を配列することは困難である。本実施形態は、このような問題を解決すべく考案されたものである。
【０２３７】
図１１に示す制御部７は第１実施形態のそれと同様である。移動機構６Ａは、第１実施形態の移動機構６の例であり、平行移動機構６１と回転機構６２とを含む。データ処理部８Ｄは３次元画像構築部８６を含む。３次元画像構築部８６は、第３実施形態の３次元画像構築部８２の例であり、第４実施形態の３次元画像構築部８４の例であり、且つ、第５実施形態の３次元画像構築部８５の例である。３次元画像構築部８６は画像位置決定部８７を含む。
【０２３８】
第１実施形態の図１に示す構成が適用される場合、平行移動機構６１は、スリット光で前眼部をスキャンするために、照明系２及び撮影系３を一体的にＸ方向に移動する。
【０２３９】
第２実施形態の図５に示す構成が適用される場合、平行移動機構６１は、スリット光で前眼部をスキャンするために、照明系２０、左撮影系３０Ｌ及び右撮影系３０Ｒを一体的にＸ方向に移動する。
【０２４０】
第１実施形態の図１に示す構成が適用される場合、回転機構６２は、照明光軸２ａを回転軸として照明系２及び撮影系３を一体的に回転する。
【０２４１】
第２実施形態の図５に示す構成が適用される場合、回転機構６２は、照明光軸２０ａを回転軸として照明系２０、左撮影系３０Ｌ及び右撮影系３０Ｒを一体的に回転する。
【０２４２】
これにより、被検眼Ｅの前眼部に照射されるスリット光の向きを回転することができ、且つ、スリット光の向きの回転と同じ角度だけ撮影方向も回転する。
【０２４３】
第１実施形態の図１に示す構成が適用される場合、照明系２及び撮影系３が第１回転位置に配置されているときにスリット光による前眼部スキャンが実行されて撮影系３により複数の画像が取得される。
【０２４４】
第２実施形態の図５に示す構成が適用される場合、照明系２０、左撮影系３０Ｌ及び右撮影系３０Ｒが第１回転位置に配置されているときにスリット光による前眼部スキャンが実行され、左撮影系３０Ｌにより第１画像群が取得され、且つ、右撮影系３０Ｒにより第２画像群が取得される。
【０２４５】
第１回転位置は、例えば、前眼部に投射されるスリット光の長手方向が被検者の体軸方向（Ｙ方向）に一致するような回転位置である。
【０２４６】
第１実施形態の図１に示す構成が適用される場合、第１回転位置と異なる第２回転位置に照明系２及び撮影系３が配置されているときに、撮影系３は、照明系２０によりスリット光が照射されている前眼部の画像を取得する。
【０２４７】
第２実施形態の図５に示す構成が適用される場合、第１回転位置と異なる第２回転位置に照明系２０、左撮影系３０Ｌ及び右撮影系３０Ｒが配置されているときに、左撮影系３０Ｌ及び右撮影系３０Ｒのそれぞれは、照明系２０によりスリット光が照射されている前眼部の画像を取得する。
【０２４８】
第２回転位置は、例えば、前眼部に投射されるスリット光の長手方向が左右方向（Ｘ方向）に一致するような回転位置である。これにより、第１回転位置にて行われる前眼部スキャンとは別に、１回以上の撮影が行われる。この付加的な撮影において、スリット光の向きは、前眼部スキャン時のそれと異なる。典型的には、前眼部スキャンにおける全てのスリット光照射領域を通過するように、スリット光の向きを設定することができる。
【０２４９】
画像位置決定部８７は、第２回転位置において取得された前眼部の画像に基づいて、第１回転位置において取得された前眼部の複数の画像の相対位置を決定する。この画像位置決定は、第２回転位置にて得られた画像を参照して、第１回転位置にて得られた複数の画像の配列を調整するものである。
【０２５０】
画像位置決定部８７は、例えば、第１回転位置にて得られた各画像と、第２回転位置にて得られた画像とを解析して両者の共通領域を特定する。更に、画像位置決定部８７は、特定された共通領域を基準として、第１回転位置にて得られた各画像と、第２回転位置にて得られた画像との相対位置を決定する。
【０２５１】
第１回転位置にて得られた全ての画像に対してこのような処理を適用することにより、第２回転位置にて得られた画像を基準として、第１回転位置にて得られた全ての画像が配列される。すなわち、第２回転位置にて得られた画像を媒介して、第１回転位置にて得られた全ての画像の相対位置が決定される。
【０２５２】
画像位置決定部８７が実行する処理は、例えば、画像相関処理、セグメンテーション、パターンマッチング、人工知能を利用した処理、コグニティブ・コンピューティングを利用した処理など、任意の情報処理を含んでいてよい。
【０２５３】
３次元画像構築部８６は、画像位置決定部８７により決定された相対位置に基づいて、第１回転位置にて得られた複数の画像を単一の３次元座標系に配列し、３次元画像を形成する。
【０２５４】
図１２は、本実施形態におけるスリット光の照射位置の例を示す。図１２は、前眼部を正面から見た状態を表している。照明系２及び撮影系３が第１回転位置に配置されているとき、前眼部スキャンにおける複数のスリット光照射領域は、Ｙ方向を長手方向とし且つＸ方向に配列された複数のストリップ状領域に相当する。本例の前眼部スキャンでは、これらストリップ状領域に対し、矢印１１により示された順序で、順次にスリット光が照射される。各ストリップ状領域にスリット光が照射されているときに、少なくとも１回の撮影が行われる。
【０２５５】
一方、符号１２は、照明系２及び撮影系３が第２回転位置に配置されているときに前眼部に照射されるスリット光の位置を示す。第２回転位置に対応するスリット光照射領域１２は、Ｘ方向を長手方向とするストリップ状領域である。つまり、本例では、第１回転位置にて前眼部に照射されるスリット光の向きと、第２回転位置にて前眼部に照射されるスリット光の向きとが互いに直交している。なお、第１回転位置にて前眼部に照射されるスリット光の向きと、第２回転位置にて前眼部に照射されるスリット光の向きとの関係は、これに限定されず、双方の向きが異なっていれば十分である。
【０２５６】
ここでは、照明系２及び撮影系３が適用される場合について説明したが、照明系２０、左撮影系３０Ｌ及び右撮影系３０Ｒが適用される場合などにおいても同様である。
【０２５７】
本例では、第１回転位置での前眼部スキャンと、第２回転位置での撮影との双方が実行されるが、これらを実施するタイミングは任意であってよい。例えば、第２回転位置での撮影を行った後に第１回転位置での前眼部スキャンを行うことや、第１回転位置での前眼部スキャンの後に第２回転位置での撮影を行うことや、第１回転位置での前眼部スキャンの途中段階で第２回転位置での撮影を行うことが可能である。
【０２５８】
本実施形態により奏される効果を説明する。
【０２５９】
本実施形態の移動機構６Ａは、照明光軸２ａ（２０ａ）を回転軸として照明系２（２０）及び撮影系３（３０Ｌ、３０Ｒ）を一体的に回転する回転機構６２を含む。照明系２（２０）及び撮影系３（３０Ｌ、３０Ｒ）が第１回転位置に配置されているときに、撮影系３（３０Ｌ、３０Ｒ）は、スリット光が照射されている前眼部の複数の画像を取得する。更に、第１回転位置と異なる第２回転位置に照明系２（２０）及び撮影系３（３０Ｌ、３０Ｒ）が配置されているときに、撮影系３（３０Ｌ、３０Ｒ）は、照明系２（２０）によりスリット光が照射されている前眼部の画像を取得する。画像位置決定部８７は、第２回転位置において取得された画像に基づいて、第１回転位置において取得された複数の画像の相対位置を決定する。３次元画像構築部８６は、決定された相対位置に基づき複数の画像の間の位置合わせを行って３次元画像を構築する。
【０２６０】
このような構成によれば、第１回転位置において取得された複数の画像の間の位置合わせを、第２回転位置において取得された画像を参照して行うことができるので、３次元画像構築の確度や精度の向上を図ることが可能である。
【０２６１】
なお、「第１回転位置において取得された複数の画像の相対位置を決定する」は、当該複数の画像自体の相対位置を決定することだけでなく、当該複数の画像からそれぞれ抽出された複数のスリット光照射領域の相対位置を決定することも含む。よって、本実施形態は、当該複数の画像の相対位置を決定した後にスリット光照射領域を抽出する場合と、当該複数の画像からスリット光照射領域を抽出した後にそれらの相対位置を決定する場合との双方を含む。
【０２６２】
また、本実施形態は、第３実施形態が適用される場合のように、第１回転位置において取得された複数の画像から選択された画像群の相対位置を決定することを含む。更に、本実施形態は、第４実施形態が適用される場合のように、第１回転位置において取得された複数の画像を加工して得られた画像群の相対位置を決定することを含む。よって、本実施形態は、当該複数の画像の相対位置を決定した後に画像の選択又は加工を行う場合と、画像の選択又は加工を行った後に選択画像又は加工画像の相対位置を決定する場合との双方を含む。
【０２６３】
〈第７実施形態〉
本実施形態では、第３〜第６実施形態などにおいて説明した３次元画像構築について説明する。
【０２６４】
図１３に示す３次元画像構築部８８は、画像領域抽出部８９と、画像合成部９０とを含む。
【０２６５】
第１実施形態の図１に示す構成が適用される場合、画像領域抽出部８９は、照明系２及び撮影系３の移動と並行して撮影系３により取得された複数の画像のそれぞれから、照明系２からのスリット光の照射領域に対応する画像領域を抽出する。抽出される画像領域は、２次元画像領域又は３次元画像領域である。
【０２６６】
第２実施形態の図５に示す構成が適用される場合、画像領域抽出部８９は、照明系２０、左撮影系３０Ｌ及び右撮影系３０Ｒの移動と並行して左撮影系３０Ｌにより取得された複数の画像のそれぞれから、照明系２０からのスリット光の照射領域に対応する画像領域を抽出することができる。また、画像領域抽出部８９は、照明系２０、左撮影系３０Ｌ及び右撮影系３０Ｒの移動と並行して右撮影系３０Ｒにより取得された複数の画像のそれぞれから、照明系２０からのスリット光の照射領域に対応する画像領域を抽出することができる。本例においても、抽出される画像領域は、２次元画像領域又は３次元画像領域である。
【０２６７】
画像領域抽出部８９が実行する処理は、例えば、第３実施形態において図３及び図８を参照しつつ説明した、前眼部画像Ｆｎからスリット光照射領域Ａｎを抽出してスリット光照射領域画像Ｇｎを構築する処理と同じ要領で実行される。
【０２６８】
画像合成部９０は、画像領域抽出部８９により複数の画像からそれぞれ抽出された複数の画像領域（複数のスリット光照射領域）を合成して３次元画像を構築する。画像合成部９０は、例えば、複数のスリット光照射領域を単一の３次元座標系に埋め込む処理を含み、埋め込まれた複数のスリット光照射領域を加工する処理を更に含んでもよい。複数のスリット光照射領域の加工としては、例えば、ノイズ除去、ノイズ低減、ボクセル化などを実行することが可能である。
【０２６９】
複数のスリット光照射領域を合成する前に、第６実施形態に係る処理を適用して複数のスリット光照射領域の相対位置を決定してもよい。
【０２７０】
画像領域抽出部８９は、複数の画像のそれぞれから、スリット光照射領域及び前眼部の所定部位の双方に対応する画像領域を抽出するように構成されていてよい。前眼部の所定領域は、例えば、角膜前面及び水晶体後面により画成される部位であってよい。
【０２７１】
例えば、画像領域抽出部８９は、まず、輝度情報の閾値処理によってスリット光照射領域を特定し、且つ、セグメンテーションによって角膜前面に相当する画像領域と水晶体後面に相当する画像領域とを特定する。
【０２７２】
次に、画像領域抽出部８９は、角膜前面に相当する画像領域と水晶体後面に相当する画像領域とに基づき、角膜前面及び水晶体後面により画成される部位に対応する画像領域（対象画像領域）を特定する。
【０２７３】
続いて、画像領域抽出部８９は、スリット光照射領域と対象画像領域との間の共通領域、つまりスリット光照射領域及び対象画像領域の双方に含まれる画像領域、を特定する。これにより、例えば、角膜前面から水晶体後面までの範囲においてスリット光照射領域に相当する、対象画像中の２次元画像領域（断面）又は３次元画像領域（スライス）が特定される。
【０２７４】
本例では、スリット光照射領域の抽出の後に画像合成を行っているが、この逆に、画像合成の後にスリット光照射領域の抽出を行ってもよい。また、抽出される画像領域はスリット光照射領域に限定されず、所定領域は角膜前面から水晶体後面までの部位に限定されない。
【０２７５】
このような構成によれば、スリット光を用いた前眼部スキャンで得られた複数の画像から、前眼部の所望の部位の３次元画像を取得することができる。特に、スリットランプ顕微鏡検査での主要な観察対象であるスリット光照射領域を表す３次元画像を構築することができ、更に、前眼部の主要な観察対象である角膜前面から水晶体後面までの部位を表す３次元画像を構築することができる。
【０２７６】
〈第８実施形態〉
本実施形態では、第３〜第７実施形態などにおいて構築された３次元画像のレンダリングについて説明する。
【０２７７】
図１４に示すデータ処理部８Ｅは、３次元画像構築部９１と、レンダリング部９２とを含む。３次元画像構築部９１は、例えば、第３実施形態の３次元画像構築部８２、第４実施形態の３次元画像構築部８４、第５実施形態の３次元画像構築部８５、第６実施形態の３次元画像構築部８６、及び、第７実施形態の３次元画像構築部８８のいずれかであってよい。
【０２７８】
レンダリング部９２は、３次元画像構築部９１により構築された３次元画像をレンダリングすることで新たな画像（レンダリング画像）を構築する。
【０２７９】
レンダリングは任意の処理であってよく、例えば３次元コンピュータグラフィクスを含む。３次元コンピュータグラフィクスは、３次元座標系により定義された３次元空間内の仮想的な立体物（スタックデータ、ボリュームデータなどの３次元画像）を２次元情報に変換することにより立体感のある画像を作成する演算手法である。
【０２８０】
レンダリングの例として、ボリュームレンダリング、最大値投影（ＭＩＰ）、最小値投影（ＭｉｎＩＰ）、サーフェスレンダリング、多断面再構成（ＭＰＲ）、プロジェクション画像構築、シャドウグラム構築などがある。レンダリングの更なる例として、スリットランプ顕微鏡で得られた断面画像の再現、シャインプルーフ画像の形成などがある。また、レンダリング部９２は、このようなレンダリングとともに適用される任意の処理を実行可能であってよい。
【０２８１】
レンダリング部９２は、前眼部の３次元画像において所定の部位に相当する領域を特定することができる。例えば、レンダリング部９２は、角膜前面に相当する領域、角膜後面に相当する領域、水晶体前面に相当する領域、水晶体後面に相当する領域などを特定することができる。このような画像領域特定には、例えば、セグメンテーション、エッジ検出、閾値処理など、公知の画像処理が適用される。
【０２８２】
なお、３次元画像は、典型的にはスタックデータ又はボリュームデータである。３次元画像に対する断面の指定は、手動又は自動で行われる。
【０２８３】
３次元画像の断面を手動で指定する場合、レンダリング部９２は、３次元画像をレンダリングして、手動断面指定のための表示画像を構築する。表示画像は、典型的には観察対象となる部位の全体を表す画像であり、例えば、角膜前面から水晶体後面までの部位を表す。表示画像を構築するためのレンダリングは、典型的には、ボリュームレンダリング又はサーフェスレンダリングである。
【０２８４】
制御部７は、レンダリング部９２により構築された表示画像を、図示しない表示デバイスに表示させる。ユーザーは、ポインティングデバイスなどの操作デバイスを用いて、表示画像に対して所望の断面を指定する。表示画像に指定された断面の位置情報がレンダリング部９２に入力される。
【０２８５】
表示画像は３次元画像のレンダリング画像であるから、表示画像と３次元画像との間には自明な位置の対応関係がある。この対応関係に基づき、レンダリング部９２は、表示画像に指定された断面の位置に対応する、３次元画像における断面の位置を特定する。つまり、レンダリング部９２は、３次元画像に対して断面を指定する。
【０２８６】
更に、レンダリング部９２は、３次元画像を当該断面で切断して３次元部分画像を構築することができる。レンダリング部９２は、この３次元部分画像をレンダリングして表示用の画像を構築することができる。このようなレンダリングの例、３次元部分画像の例、３次元部分画像に基づく表示用画像の例などについては、後述する。
【０２８７】
３次元画像の断面を自動で指定する場合、例えば、データ処理部８Ｅ（例えばレンダリング部９２）は、３次元画像を解析して、前眼部の所定部位に相当する位置又は領域を特定することができる。例えば、角膜前面を特定することや、角膜前面の頂点位置を特定することや、水晶体後面を特定することや、水晶体後面の頂点位置を特定することが可能である。
【０２８８】
また、データ処理部８Ｅ（例えばレンダリング部９２）は、３次元画像にセグメンテーションを適用して、所定部位に相当する画像領域を特定することができる。例えば、角膜前面に相当する２次元領域、角膜に相当する３次元領域、水晶体に相当する３次元領域、水晶体後面に相当する３次元領域、前房に相当する３次元領域などを特定することが可能である。
【０２８９】
データ処理部８Ｅ（例えばレンダリング部９２）は、このようにして特定された位置や領域に基づいて、３次元画像に対して断面を指定することができる。例えば、角膜前面の頂点位置と水晶体後面の頂点位置とを通過する平面を断面として指定することや、水晶体前面に相当する曲面を断面として指定することが可能である。
【０２９０】
３次元画像に対して断面が指定されたときにレンダリング部９２が構築できる画像は３次元部分画像に限定されない。例えば、３次元画像に対して断面が指定されたとき、レンダリング部９２は、当該断面を表す２次元断面画像を構築することができる。このようなレンダリングの例、２次元断面画像の例、２次元断面画像に基づく表示用画像の例などについては、後述する。
【０２９１】
３次元画像に対して指定可能な位置情報は、平面状又は曲面状の２次元領域である断面に限定されない。３次元領域に指定可能な位置情報の他の例として、スライスがある。スライスは、所定の厚みを有する３次元領域であり、典型的には、一様な厚みを有する薄片である。
【０２９２】
３次元画像に対してスライスが指定されたとき、レンダリング部９２は、当該スライスに対応する３次元スライス画像を構築することができる。レンダリング部９２は、この３次元スライス画像をレンダリングして表示用の画像を構築することができる。このようなレンダリングの例、３次元スライス画像の例、３次元スライス画像に基づく表示用画像の例などについては、後述する。
【０２９３】
本実施形態により奏される効果を説明する。
【０２９４】
本実施形態は、３次元画像構築部９１により構築された３次元画像をレンダリングしてレンダリング画像を構築するレンダリング部９２を含む。これにより、３次元画像構築部９１により構築された３次元画像に基づくレンダリング画像を表示することができ、前眼部の所望の部位を観察することが可能になる。
【０２９５】
レンダリングの手法は任意である。例えば、３次元画像に対して断面が指定されたとき、レンダリング部９２は、この断面で３次元画像を切断して３次元部分画像を構築することができる。これにより、前眼部の所望の断面を観察できるとともに、前眼部の３次元形態を把握することも可能である。
【０２９６】
他の例において、３次元画像に対して断面が指定されたとき、レンダリング部９２は、当該断面を表す２次元断面画像を構築することができる。これにより、前眼部の所望の断面を観察することが可能である。
【０２９７】
更に他の例において、３次元画像に対してスライスが指定されたとき、レンダリング部９２は、当該スライスに対応する３次元スライス画像を構築することができる。これにより、前眼部の所望のスライスを観察することが可能である。
【０２９８】
〈第９実施形態〉
第１〜第８実施形態に係るスリットランプ顕微鏡では、照明光軸と撮影光軸とが所定の角度をなしており、照明系及び撮影系はシャインプルーフカメラとして機能する。このようなスリットランプ顕微鏡により得られる画像は歪みを伴う。この歪みは、典型的には台形歪みである。
【０２９９】
本実施形態では歪み補正について説明する。この歪み補正は、典型的には台形補正（キーストーン補正）である。台形補正は周知技術であり、例えば特開２０１７−１６３４６５号公報（米国特許出願公開第２０１７／０２６２１６３号明細書）に開示されている。
【０３００】
前述したように、前眼部において（つまり実空間において）、スリット光照射領域はＺ方向に広がりを有し、スリット幅を無視すると、典型的にはＹＺ平面において定義される。一方、撮影系の光軸は、スリット光を照射する照明系の光軸に対してＸ方向に傾斜している。したがって、前眼部の撮影対象領域は、被検眼の表面に近づくほど大きく描出され、眼底に近づくほど小さく描出される。したがって、（少なくとも）Ｚ方向における台形歪みが生じる。
【０３０１】
図１５に示すデータ処理部８Ｆは歪み補正部９３を含む。歪み補正部９３は、第１〜第８実施形態のいずれにも組み合わせ可能である。歪み補正部９３は、撮影系３（左撮影系３０Ｌ、右撮影系３０Ｒ）により取得された前眼部画像に対して歪み補正を適用する。
【０３０２】
より具体的には、歪み補正部９３は、照明光軸２ａ（２０ａ）と撮影光軸３ａ（３０Ｌａ、３０Ｒａ）とがなす角度である光軸角度θ（θＬ、θＲ）に起因する歪みを補正するための処理（台形補正）を、照明系２（２０）及び撮影系３（３０Ｌ、３０Ｒ）の移動と並行して撮影系３（３０Ｌ、３０Ｒ）により取得された複数の画像のうちの少なくとも１つに適用する。
【０３０３】
歪み補正が適用される画像は、撮影系３（３０Ｌ、３０Ｒ）により取得された前眼部画像自体には限定されず、撮影系３（３０Ｌ、３０Ｒ）により取得された前眼部画像から抽出されたスリット光照射領域などであってもよい。よって、前眼部画像の歪みを補正した後にスリット光照射領域を抽出してもよいし、逆に、前眼部画像からスリット光照射領域を抽出した後に、このスリット光照射領域の歪みを補正してもよい。
【０３０４】
また、第３実施形態や第４実施形態における「画像群」のように、撮影系３（３０Ｌ、３０Ｒ）により取得された前眼部画像のうちから選択された前眼部画像の歪みを補正することや、撮影系３（３０Ｌ、３０Ｒ）により取得された前眼部画像を加工して得られた画像の歪みを補正することも含む。よって、前眼部画像の歪みを補正した後に前眼部画像の選択・加工を行ってもよいし、前眼部画像の選択又は加工を行った後に選択画像又は加工画像の歪みを補正してもよい。
【０３０５】
典型的な実施形態において、スリットランプ顕微鏡は、図１又は図５に示す光学系を備え、歪み補正部９３によってＹＺ平面における歪みが補正される。
【０３０６】
図１に示す例において、撮影光軸３ａは、照明光軸２ａに対して、照明光軸２ａに沿う第１方向（Ｚ方向）及びスリット光の長手方向に沿う第２方向（Ｙ方向）の双方に直交する第３方向（Ｘ方向）に傾斜して配置されている。ここで、照明光軸２ａと撮影光軸３ａとがなす光軸角度は、図１に示す角度θである。歪み補正部９３は、第１方向（Ｚ方向）及び第２方向（Ｙ方向）の双方を含む平面（ＹＺ平面）における歪みを補正するための処理を、撮影系３により取得された前眼部画像に適用することができる。
【０３０７】
図５に示す例において、左撮影光軸３０Ｌａは、照明光軸２０ａに対して、照明光軸２０ａに沿う第１方向（Ｚ方向）及びスリット光の長手方向に沿う第２方向（Ｙ方向）の双方に直交する第３方向（Ｘ方向）に傾斜して配置されている。ここで、照明光軸２０ａと左撮影光軸３０Ｌａとがなす光軸角度は、図５に示す角度θＬである。歪み補正部９３は、第１方向（Ｚ方向）及び第２方向（Ｙ方向）の双方を含む平面（ＹＺ平面）における歪みを補正するための処理を、左撮影光軸３０Ｌａにより取得された前眼部画像に適用することができる。
【０３０８】
同様に、右撮影光軸３０Ｒａは、照明光軸２０ａに対して、照明光軸２０ａに沿う第１方向（Ｚ方向）及びスリット光の長手方向に沿う第２方向（Ｙ方向）の双方に直交する第３方向（Ｘ方向）に傾斜して配置されている。ここで、照明光軸２０ａと右撮影光軸３０Ｒａとがなす光軸角度は、図５に示す角度θＲである。歪み補正部９３は、第１方向（Ｚ方向）及び第２方向（Ｙ方向）の双方を含む平面（ＹＺ平面）における歪みを補正するための処理を、右撮影光軸３０Ｒａにより取得された前眼部画像に適用することができる。
【０３０９】
一般的な台形補正は、矩形を歪ませて台形化した形状を元の矩形に戻すように行われる。本実施形態では、このような標準的な台形補正を適用することも可能であるが、以下に説明するように、他の台形補正を適用することが有効な場合もある。
【０３１０】
一般に、スリットランプ顕微鏡を用いて前眼部の光切片（つまりスリット光照射領域）を観察する際には、照明系の光軸（照明光軸）に対して観察系の光軸（観察光軸）が傾斜される。よって、ユーザーは、Ｚ方向に延びる光切片を斜めから観察する。このとき、照明光軸と観察光軸とがなす角度（観察角度）は、典型的には既定の値である（例えば、１７．５度、３０度、又は４５度）。この既定値を基準角度（α）と呼ぶ。
【０３１１】
基準角度αと光軸角度β（θ、θＬ、θＲ）とに基づいて、歪み補正（台形補正）の補正係数を設定することができる。少なくとも１つの基準角度αと、少なくとも１つの光軸角度β（θ、θＬ、θＲ）とについて、補正係数が設定される。２つ以上の基準角度と１つの光軸角度との組み合わせのそれぞれについて補正係数を設定することや、１つの基準角度と２つ以上の光軸角度との組み合わせのそれぞれについて補正係数を設定することや、２つ以上の基準角度と２つ以上の光軸角度との組み合わせのそれぞれについて補正係数を設定することも可能である。一般に、基準角度α及び光軸角度βの一方又は双方を変数とする離散的又は連続的な補正係数Ｃ（α、β）を設定することが可能である。
【０３１２】
このようにして設定された１以上の補正係数Ｃ（α、β）は歪み補正部９３に格納される。歪み補正部９３は、補正係数Ｃ（α、β）に基づいて歪みを補正するための処理を実行することができる。
【０３１３】
補正係数Ｃ（α、β）が複数の値を提供する場合、歪み補正部９３又はユーザーは、基準角度α及び光軸角度βの一方又は双方を指定する。歪み補正部９３は、この指定の結果に応じた補正係数を適用する。このような構成は、例えば、光軸角度βが可変なスリットランプ顕微鏡が適用される場合に適用され、光軸角度ベータの可変範囲における複数の補正係数を示すテーブルやグラフが準備される。
【０３１４】
補正係数を示す情報を準備する代わりに、次の構成を適用することが可能である。すなわち、本例の歪み補正部は、補正係数を算出するための所定の演算式を予め記憶する。更に、本例の歪み補正部は、基準角度α及び／又は光軸角度βの入力を受け、この入力値を演算式に代入して補正係数を算出する。本例の歪み補正部は、算出された補正係数を用いて歪み補正を実行する。
【０３１５】
本実施形態により奏される効果を説明する。
【０３１６】
本実施形態は、歪み補正部９３を含む。図１に示す構成において、歪み補正部９３は、移動機構６による照明系２及び撮影系３の移動と並行して撮影系３が繰り返し撮影を行うことにより取得した複数の画像のうちの少なくとも１つに対し、照明系２の光軸２ａと撮影系３の光軸３ａとがなす角度である光軸角度θに起因する歪みを補正するための処理を適用することができる。なお、図５に示す構成や他の構成が採用される場合においても同様である。
【０３１７】
このような構成によれば、光軸角度θに起因する歪みが補正された好適な画像を提供することが可能になる。
【０３１８】
図１に示す構成において、撮影系３に含まれる光学系４の光軸３ａは、照明系２の光軸２ａに対して、照明系２の光軸２ａに沿う第１方向（Ｚ方向）及びスリット光の長手方向に沿う第２方向（Ｙ方向）の双方に直交する第３方向（Ｘ方向）に傾斜して配置されている。歪み補正部９３は、第１方向及び第２方向の双方を含む平面（ＹＺ平面）における歪みを補正するための処理を実行することができる。図５に示す構成や他の構成が採用される場合においても同様である。
【０３１９】
このような構成によれば、第１方向及び第２方向の双方を含む平面に台形歪みが発生すが、これを補正することが可能である。
【０３２０】
図１に示す構成において、歪み補正部９３は、所定の基準角度αと光軸角度θとに基づき設定された補正係数Ｃを予め記憶している。歪み補正部９３は、この補正係数Ｃに基づいて、光軸角度θに起因する歪みを補正するための処理を画像に適用することができる。図５に示す構成や他の構成が採用される場合においても同様である。
【０３２１】
〈第１０実施形態〉
スリットランプ顕微鏡検査において、組織のサイズや形状、組織間の位置関係などを参照することがある。本実施形態では、そのための計測について説明する。
【０３２２】
図１６に示すデータ処理部８Ｇは計測部９４を含む。計測部９４は、第１〜第９実施形態のいずれかに組み合わせ可能である。
【０３２３】
第１〜第９実施形態に係るスリットランプ顕微鏡に計測部９４を組み合わせた場合、計測部９４は、スリット光を用いた前眼部スキャンにより取得された前眼部画像を解析することで、所定の計測値を求めることができる。
【０３２４】
３次元画像を構築可能なスリットランプ顕微鏡に計測部９４を組み合わせた場合、計測部９４は、３次元画像構築部８２（８４、８５、８６、８８、９１）により構築された３次元画像を解析することにより、所定の計測値を求めることができる。
【０３２５】
計測は、例えば、組織の形態を示すパラメータ（厚み、径、面積、体積、角度、形状など）、組織間の関係を示すパラメータ（距離、方向など）に関して実行される。計測のための解析は、例えば、組織又はその輪郭を特定するためのセグメンテーションを含む。
【０３２６】
このような本実施形態によれば、前眼部の観察や診断に有効なパラメータについて計測を行うことが可能である。
【０３２７】
歪み補正を実行可能な第９実施形態に計測部９４を組み合わせることで、歪み補正が適用された画像に基づき計測を行うことができる。これにより、計測確度の向上や計測精度の向上を図ることが可能となる。
【０３２８】
〈第１１実施形態〉
第２実施形態の動画撮影系４０のように、スリット光を用いた前眼部スキャンと並行して前眼部を固定位置から動画撮影する機能をスリットランプ顕微鏡が備える場合、本実施形態に係る機能を更に付加することができる。
【０３２９】
本実施形態の制御部７Ａは移動制御部７１を含み、データ処理部８Ｈは運動検出部９５を含む。また、本実施形態は、動画撮影系４０を含む。動画撮影系４０は、スリット光を用いた前眼部スキャンと並行して前眼部を固定位置から動画撮影する。
【０３３０】
運動検出部９５は、動画撮影系４０により取得される動画像を解析して被検眼Ｅの運動を検出する。この運動検出は、動画撮影系４０と並行して実行される。
【０３３１】
例えば、運動検出部９５は、まず、動画撮影系４０から逐次に入力されるフレームを解析して所定部位に相当する画像領域を特定する。所定部位は、典型的には、瞳孔の中心、重心、輪郭などであってよい。画像領域特定は、画素に割り当てられた輝度情報に基づき行われる。運動検出部９５は、前眼部の画像における低輝度の画像領域を瞳孔領域として特定し、この瞳孔領域の重心又は輪郭を特定することができる。或いは、運動検出部９５は、瞳孔領域の近似円又は近似楕円を求め、その中心又は輪郭を特定することが可能である。
【０３３２】
このように、運動検出部９５は、動画撮影系４０から入力されるフレーム中の特徴点を逐次に求める。更に、運動検出部９５は、逐次に特定される特徴点の位置の時間変化を求める。動画撮影系４０は固定配置されているので、このような処理により運動検出部９５は被検眼Ｅの運動を（リアルタイムで）検出することが可能である。
【０３３３】
移動制御部７１は、運動検出部９５からの出力に基づいて移動機構６を制御することができる。より具体的に説明すると、運動検出部９５は、動画撮影系４０から逐次に入力されるフレーム中の特徴点の位置の時間変化を示す情報を、移動制御部７１に逐次に入力する。移動制御部７１は、運動検出部９５から逐次に入力される情報にしたがって移動機構６を制御する。この移動制御は、被検眼Ｅの運動に起因するアライメント状態の変化を打ち消すように実行される。このような動作はトラッキングを呼ばれる。
【０３３４】
このような本実施形態によれば、スリット光を用いた前眼部スキャン中に被検眼Ｅが動いたとき、この動きに応じてアライメント状態が自動で補正される。これにより、被検眼の運動の影響を受けることなく、スリット光を用いた前眼部スキャンを行うことが可能である。
【０３３５】
〈使用形態〉
実施形態に係るスリットランプ顕微鏡の例示的な使用形態を説明する。ここでは、図５に示す光学系が適用される。テーブル、イス、顎受け台の調整、撮影開始の指示、アライメントなどは、前述した要領で行われる。
【０３３６】
まず、第６実施形態で説明したように、前眼部に照射されるスリット光の長手方向が左右方向（Ｘ方向）に一致するように、制御部７が回転機構６２を制御する。左撮影系３０Ｌ又は右撮影系３０Ｒは、当該向きのスリット光が照射されている前眼部を撮影する。
【０３３７】
これにより、図１８に示す前眼部画像Ｈ０が取得される。前眼部画像Ｈ０には、左右方向（Ｘ方向）を長手方向とするスリット光が照射されている領域であるスリット光照射領域Ｊ０が含まれている。
【０３３８】
なお、左撮影系３０Ｌ及び右撮影系３０Ｒの双方が前眼部を撮影してもよい。この場合、スリット光照射領域を斜め上方から撮影した画像と、斜め下方から撮影した画像とが得られる。
【０３３９】
次に、前眼部に照射されるスリット光の長手方向が上下方向（Ｙ方向）に一致するように、制御部７が回転機構６２を制御する。制御部７は、スリット光を用いた前眼部スキャンを実行するように、照明系２０、左撮影系３０Ｌ、右撮影系３０Ｒ、及び移動機構６を制御する。すなわち、左撮影系３０Ｌ及び右撮影系３０Ｒのそれぞれが、移動機構６による照明系２０、左撮影系３０Ｌ及び右撮影系３０Ｒの移動と並行して、被検眼Ｅの前眼部を繰り返し撮影する。
【０３４０】
これにより、左撮影系３０Ｌは、図１９Ａに示すＮ枚の前眼部画像ＨＬ１〜ＨＬＮを含む第１画像群を取得し、右撮影系３０Ｒは、図１９Ｂに示すＮ枚の前眼部画像ＨＲ１〜ＨＲＮを含む第２画像群を取得する。左撮影系３０Ｌにより取得された前眼部画像ＨＬｎには、斜め左方から撮影されたスリット光照射領域ＪＬｎが描出されている（ｎ＝１、２、・・・、Ｎ）。右撮影系３０Ｒにより取得された前眼部画像ＨＲｎには、斜め右方から撮影されたスリット光照射領域ＪＲｎが描出されている（ｎ＝１、２、・・・、Ｎ）。
【０３４１】
ここで、前述した画像ペアリングにより、前眼部画像ＨＬｎと前眼部画像ＨＲｎとが互いに対応付けられているものとする（ｎ＝１、２、・・・、Ｎ）。実際の前眼部スキャンでは、後に構築される３次元画像の解像度を考慮し、左右それぞれの前眼部画像の枚数Ｎは２００以上に設定される。なお、枚数Ｎは任意である。
【０３４２】
図２０は、実際に行われた前眼部スキャンで取得された前眼部画像を示す。これら前眼部画像のそれぞれには、高輝度で提示されたスリット光照射領域が含まれている。
【０３４３】
続いて、第７実施形態（図１３）の画像領域抽出部８９が、前眼部画像ＨＬｎからスリット光照射領域ＪＬｎを抽出し、且つ、前眼部画像ＨＲｎからスリット光照射領域ＪＲｎを抽出する。図２１Ａは、複数の前眼部画像ＨＬ１〜ＨＬＮからそれぞれ構築された複数のスリット光照射領域画像ＫＬ１〜ＫＬＮを示す。図２１Ｂは、複数の前眼部画像ＨＲ１〜ＨＲＮからそれぞれ構築された複数のスリット光照射領域画像ＫＲ１〜ＫＲＮを示す。
【０３４４】
次に、第３実施形態又は第４実施形態に係る処理を、スリット光照射領域画像ＫＬｎ及びスリット光照射領域画像ＫＲｎに適用することで、アーティファクトを含まない複数のスリット光照射領域画像が得られる。図２２に例示する複数のスリット光照射領域画像Ｋ１〜ＫＮは、いずれもアーティファクトを含まない。スリット光照射領域画像Ｋ１〜ＫＮは、それぞれ、スリット光照射領域Ｊ１〜ＪＮを含む。
【０３４５】
続いて、スリット光照射領域画像Ｋ１〜ＫＮのそれぞれに対し、第９実施形態で説明した歪み補正（台形補正）を適用する。これにより、アーティファクトを含まず、且つ、歪みが補正された、複数のスリット光照射領域画像が得られる。図２３に例示する複数のスリット光照射領域画像Ｐ１〜ＰＮは、いずれもアーティファクトを含まない。更に、スリット光照射領域画像Ｐ１〜ＰＮは、それぞれ、スリット光照射領域Ｑ１〜ＱＮを含む。
【０３４６】
次に、第６実施形態の画像位置決定部８７が、図１８に示す前眼部画像Ｈ０に基づいて、複数のスリット光照射領域画像Ｐ１〜ＰＮの相対位置を決定する。例えば、画像位置決定部８７は、前眼部画像Ｈ０に描出された角膜前面に相当する画像領域（スリット光照射領域Ｊ０における曲率半径が小さい方のカーブ）に基づいて、スリット光照射領域画像Ｐ１〜ＰＮを配列する。これにより、角膜前面のカーブに合わせてスリット光照射領域画像Ｐ１〜ＰＮが配列される。
【０３４７】
第６実施形態の３次元画像構築部８６は、角膜前面のカーブに合わせて配列された複数のスリット光照射領域画像Ｐ１〜ＰＮに基づいて３次元画像を構築する。この３次元画像は、アーティファクトを含まず、且つ、その歪みが補正されている。
【０３４８】
続いて、データ処理部８は、前眼部スキャン時に前眼部に投影されたスリット光の長さ（Ｙ方向の寸法）と、移動機構６によるスリット光の移動距離（Ｘ方向の寸法）とに基づいて、３次元画像の縦横比を補正する。これにより、３次元画像のＸ方向の寸法とＹ方向の寸法との比率が補正される。
【０３４９】
次に、第１０実施形態の計測部９４が、３次元画像を解析して所定の計測値を求める。計測パラメータの例として、角膜前面曲率、角膜前面曲率半径、角膜後面曲率、角膜後面曲率半径、角膜径、角膜厚、角膜トポグラフィ、前房深度、隅角、水晶体前面曲率、水晶体前面曲率半径、水晶体後面曲率、水晶体後面曲率半径、水晶体厚などがある。
【０３５０】
図２４は、実際に取得された３次元画像をボリュームレンダリングして得られた表示画像Ｒ０を示す。レンダリングは、第８実施形態のレンダリング部９２により実行される。制御部７は、表示画像Ｒ０を図示しない表示デバイスに表示させる。表示画像Ｒ０は、角膜前面及び水晶体後面により画成された部位を描出している。
【０３５１】
ユーザーは、表示デバイスに表示された表示画像Ｒ０を観察し、図示しない操作デバイスを用いて所望の断面を指定することができる。図２５に示す点線は、ユーザーが表示画像Ｒ０に対して指定した断面の位置を示す。
【０３５２】
レンダリング部９２は、ユーザーにより指定された断面で３次元画像を切断することにより３次元部分画像を構築することができる。図２６に示す画像Ｒ１は、図２５に示す断面で３次元画像を切断して得られた３次元部分画像をレンダリングして得られた表示画像である。この表示画像のことも３次元部分画像Ｒ１と呼ぶ。３次元部分画像Ｒ１は、図２５に示す断面を外面の一部とする、前眼部の３次元領域を表す画像である。
【０３５３】
また、レンダリング部９２は、ユーザーにより指定された断面を表す２次元断面画像を構築することができる。図２７に示す画像Ｒ２は、図２５に示す断面で３次元画像を切断して得られた２次元断面画像である。
【０３５４】
ユーザーは、表示デバイスに表示された表示画像Ｒ０を観察し、図示しない操作デバイスを用いて所望のスライスを指定することができる。図２８に示す２つの点線は、ユーザーが表示画像Ｒ０に対して指定したスライスを画成する２つの断面の位置を示す。つまり、これら２つの断面で挟まれた領域が、ユーザーが表示画像Ｒ０に対して指定したスライスである。
【０３５５】
レンダリング部９２は、ユーザーにより指定されたスライスに対応する３次元スライス画像を構築することができる。図２９に示す画像Ｒ３は、図２８に示す断面で３次元画像を切断して得られた３次元スライス画像をレンダリングして得られた表示画像である。この表示画像のことも３次元スライス画像Ｒ３と呼ぶ。３次元スライス画像Ｒ３は、図２８に示す２つの断面を外面の一部とする、前眼部の３次元領域を表す画像である。
【０３５６】
ユーザーは、３次元画像をレンダリングして前眼部の外面や所望の断面を観察したり、第１０実施形態の計測を行ったりすることにより、前眼部の状態を把握することができる。そして、読影レポートを作成することができる。
【０３５７】
〈第１２実施形態〉
本実施形態では、眼科撮影装置と情報処理装置とを含む眼科システムについて説明する。眼科撮影装置は、少なくともスリットランプ顕微鏡としての機能を有する。眼科撮影装置に含まれるスリットランプ顕微鏡は、第１〜第１１実施形態のいずれかのスリットランプ顕微鏡であってよい。以下、第１〜第１１実施形態で説明した要素や構成や符号を適宜に準用する。
【０３５８】
図３０に例示された眼科システム１０００は、眼科撮影が行われるＴ個の施設（第１施設〜第Ｔ施設）のそれぞれと、サーバ４０００と、遠隔端末５０００ｍとを結ぶ通信路（通信回線）１１００を利用して構築されている。
【０３５９】
ここで、眼科撮影は、スリットランプ顕微鏡を用いた前眼部撮影を少なくとも含む。この前眼部撮影は、少なくとも、第１〜第１１実施形態で説明した、スリット光を用いた前眼部スキャンを含む。
【０３６０】
各施設（第ｔ施設：ｔ＝１〜Ｔ、Ｔは１以上の整数）には、眼科撮影装置２０００−ｉｔ（ｉｔ＝１〜Ｋｔ、Ｋｔは１以上の整数）が設置されている。つまり、各施設（第ｔ施設）には、１以上の眼科撮影装置２０００−ｉｔが設置されている。眼科撮影装置２０００−ｉｔは、眼科システム１０００の一部を構成する。なお、眼科以外の検査を実施可能な検査装置が眼科システム１０００に含まれていてもよい。
【０３６１】
本例の眼科撮影装置２０００−ｉｔは、被検眼の撮影を実施する「撮影装置」としての機能と、各種データ処理や外部装置との通信を行う「コンピュータ」としての機能の双方を備えている。他の例において、撮影装置とコンピュータとを別々に設けることが可能である。この場合、撮影装置とコンピュータとは互いに通信可能に構成されてよい。更に、撮影装置の数とコンピュータの数とはそれぞれ任意であり、例えば単一のコンピュータと複数の撮影装置とを設けることができる。
【０３６２】
眼科撮影装置２０００−ｉｔにおける「撮影装置」は、少なくともスリットランプ顕微鏡を含む。このスリットランプ顕微鏡は、第１〜第１１実施形態のいずれかのスリットランプ顕微鏡であってよく、第１実施形態の構成（図１）又は第２実施形態の構成（図５）を少なくとも含む。
【０３６３】
更に、各施設（第ｔ施設）には、補助者や被検者により使用可能な情報処理装置（端末３０００−ｔ）が設置されている。端末３０００−ｔは、当該施設において使用されるコンピュータであり、例えば、タブレット端末やスマートフォン等のモバイル端末、当該施設に設置されたサーバなどであってよい。更に、端末３０００−ｔは、無線型イヤフォン等のウェアラブルデバイスを含んでいてもよい。なお、端末３０００−ｔは、当該施設においてその機能を使用可能なコンピュータであれば十分であり、例えば、当該施設の外に設置されたコンピュータ（クラウドサーバ等）であってもよい。
【０３６４】
眼科撮影装置２０００−ｉｔと端末３０００−ｔとは、第ｔ施設内に構築されたネットワーク（施設内ＬＡＮ等）や、広域ネットワーク（インターネット等）や、近距離通信技術を利用して通信を行えるように構成されてよい。
【０３６５】
眼科撮影装置２０００−ｉｔは、サーバ等の通信機器としての機能を備えていてよい。この場合、眼科撮影装置２０００−ｉｔと端末３０００−ｔとが直接に通信を行うように構成することができる。これにより、サーバ４０００と端末３０００−ｔとの間の通信を眼科撮影装置２０００−ｉｔを介して行うことができるので、端末３０００−ｔとサーバ４０００との間で通信を行う機能を設ける必要がなくなる。
【０３６６】
サーバ４０００は、典型的には、第１〜第Ｔ施設のいずれとも異なる施設に設置され、例えば管理センタに設置されている。サーバ４０００は、ネットワーク（ＬＡＮ、広域ネットワーク等）を介して、遠隔端末５０００ｍ（ｍ＝１〜Ｍ、Ｍは１以上の整数）と通信が可能である。更に、サーバ４０００は、第１〜第Ｔ施設に設置された眼科撮影装置２０００−ｉｔの少なくとも一部との間で、広域ネットワークを介して通信が可能である。
【０３６７】
サーバ４０００は、例えば、眼科撮影装置２０００−ｉｔと遠隔端末５０００ｍとの間の通信を中継する機能と、この通信の内容を記録する機能と、眼科撮影装置２０００−ｉｔにより取得されたデータや情報を記憶する機能と、遠隔端末５０００ｍにより取得されたデータや情報を記憶する機能とを備える。サーバ４０００は、データ処理機能を備えてもよい。
【０３６８】
遠隔端末５０００ｍは、眼科撮影装置２０００−ｉｔによって取得された被検眼の画像（複数の前眼部画像、又は、これらに基づく３次元画像のレンダリング画像）の読影と、レポート作成とに使用可能なコンピュータを含む。遠隔端末５０００ｍは、データ処理機能を備えてもよい。
【０３６９】
サーバ４０００について説明する。図３１に例示されたサーバ４０００は、制御部４０１０と、通信確立部４１００と、通信部４２００とを備える。
【０３７０】
制御部４０１０は、サーバ４０００の各部の制御を実行する。制御部４０１０は、その他の演算処理を実行可能であってよい。制御部４０１０はプロセッサを含む。制御部４０１０は、更に、ＲＡＭ、ＲＯＭ、ハードディスクドライブ、ソリッドステートドライブなどを含んでいてよい。
【０３７１】
制御部４０１０は、通信制御部４０１１と転送制御部４０１２とを含む。
【０３７２】
通信制御部４０１１は、複数の眼科撮影装置２０００−ｉｔと複数の端末３０００−ｔと複数の遠隔端末５０００ｍとを含む複数の装置の間における通信の確立に関する制御を実行する。例えば、通信制御部４０１１は、眼科システム１０００に含まれる複数の装置のうちから後述の選択部４１２０によって選択された２以上の装置のそれぞれに向けて、通信を確立するための制御信号を送る。
【０３７３】
転送制御部４０１２は、通信確立部４１００（及び通信制御部４０１１）により通信が確立された２以上の装置の間における情報のやりとりに関する制御を行う。例えば、転送制御部４０１２は、通信確立部４１００（及び通信制御部４０１１）により通信が確立された少なくとも２つの装置のうちの一方の装置から送信された情報を他の装置に転送するように機能する。
【０３７４】
具体例として、眼科撮影装置２０００−ｉｔと遠隔端末５０００ｍとの間の通信が確立された場合、転送制御部４０１２は、眼科撮影装置２０００−ｉｔから送信された情報（例えば、スリット光を用いた前眼部スキャンで得られた複数の前眼部画像、又は、これら前眼部画像に基づき構築された３次元画像）を遠隔端末５０００ｍに転送することができる。逆に、転送制御部４０１２は、遠隔端末５０００ｍから送信された情報（例えば、眼科撮影装置２０００−ｉｔへの指示、読影レポートなど）を眼科撮影装置２０００−ｉｔに転送することができる。
【０３７５】
転送制御部４０１２は、送信元の装置から受信した情報を加工する機能を有していてもよい。この場合、転送制御部４０１２は、受信した情報と、加工処理により得られた情報との少なくとも一方を転送先の装置に送信することができる。
【０３７６】
例えば、転送制御部４０１２は、眼科撮影装置２０００−ｉｔ等から送信された情報の一部を抽出して遠隔端末５０００ｍ等に送信することができる。また、眼科撮影装置２０００−ｉｔ等から送信された情報（例えば、前眼部画像又は３次元画像）をサーバ４０００又は他の装置によって解析し、その解析結果（及び元の情報）を遠隔端末５０００ｍ等に送信するようにしてもよい。
【０３７７】
眼科撮影装置２０００−ｉｔから複数の前眼部画像が送信された場合、サーバ４０００又は他の装置が、これら前眼部画像から３次元画像（例えば、スタックデータ又はボリュームデータ）を構築し、転送制御部４０１２が、構築された３次元画像を遠隔端末５０００ｍに送信するように構成することが可能である。
【０３７８】
眼科撮影装置２０００−ｉｔからスタックデータが送信された場合、サーバ４０００又は他の装置が、このスタックデータからボリュームデータを構築し、転送制御部４０１２が、構築されたボリュームデータを遠隔端末５０００ｍに送信するように構成することが可能である。
【０３７９】
サーバ４０００又は他の装置により実行可能なデータ加工処理は、上記した例には限定されず、任意のデータ処理を含んでいてよい。例えば、サーバ４０００又は他の装置は、３次元画像のレンダリング、アーティファクト除去、歪み補正、計測など、第１〜第１１実施形態で説明した任意の処理を実行可能であってよい。
【０３８０】
通信確立部４１００は、複数の眼科撮影装置２０００−ｉｔと複数の端末３０００−ｔと複数の遠隔端末５０００ｍとを含む複数の装置のうちから選択された少なくとも２つの装置の間における通信を確立するための処理を実行する。本実施形態において「通信の確立」とは、例えば、（１）通信が切断された状態から一方向通信を確立すること、（２）通信が切断された状態から双方向通信を確立すること、（３）受信のみが可能な状態から送信も可能な状態に切り替えること、（４）送信のみが可能な状態から受信も可能な状態に切り替えること、のうちの少なくとも１つを含む概念である。
【０３８１】
更に、通信確立部４１００は、確立されている通信を切断する処理を実行可能である。本実施形態において「通信の切断」とは、例えば、（１）一方向通信が確立された状態から通信を切断すること、（２）双方向通信が確立された状態から通信を切断すること、（３）双方向通信が確立された状態から一方向通信に切り替えること、（４）送信及び受信が可能な状態から受信のみが可能な状態に切り替えること、（５）送信及び受信が可能な状態から送信のみが可能な状態に切り替えること、のうちの少なくとも１つを含む概念である。
【０３８２】
眼科撮影装置２０００−ｉｔ、端末３０００−ｔ、及び遠隔端末５０００ｍのそれぞれは、他の装置（そのユーザー）を呼び出すための通信要求（呼び出し要求）と、他の２つの装置の間の通信に割り込むための通信要求（割り込み要求）とのうちの少なくとも一方をサーバ４０００に送信することができる。呼び出し要求及び割り込み要求は、手動又は自動で発信される。サーバ４０００（通信部４２００）は、眼科撮影装置２０００−ｉｔ、端末３０００−ｔ、又は遠隔端末５０００ｍから送信された通信要求を受信する。
【０３８３】
本実施形態において、通信確立部４１００は選択部４１２０を含んでいてよい。選択部４１２０は、例えば、眼科撮影装置２０００−ｉｔ、端末３０００−ｔ、又は遠隔端末５０００ｍから送信された通信要求に基づいて、眼科撮影装置２０００−ｉｔ、端末３０００−ｔ、及び遠隔端末５０００ｍのうちから、当該通信要求を送信した装置以外の１以上の装置を選択する。
【０３８４】
選択部４１２０が実行する処理の具体例を説明する。眼科撮影装置２０００−ｉｔ又は端末３０００−ｔからの通信要求（例えば、眼科撮影装置２０００−ｉｔにより取得された画像の読影の要求）を受けた場合、選択部４１２０は、例えば、複数の遠隔端末５０００ｍのうちのいずれかを選択する。通信確立部４１００は、選択された遠隔端末５０００ｍと、眼科撮影装置２０００−ｉｔ及び端末３０００−ｔの少なくとも一方との間の通信を確立する。
【０３８５】
通信要求に応じた装置の選択は、例えば、予め設定された属性に基づいて実行される。この属性の例として、検査の種別（例えば、撮影モダリティの種別、画像の種別、疾患の種別、候補疾患の種別など）や、要求される専門度・熟練度や、言語の種別などがある。本例に係る処理を実現するために、通信確立部４１００は、予め作成された属性情報が記憶された記憶部４１１０を含んでいてよい。属性情報には、遠隔端末５０００ｍ及び／又はそのユーザー（医師、オプトメトリスト等）の属性が記録されている。
【０３８６】
ユーザーの識別は、事前に割り当てられたユーザーＩＤによって行われる。また、遠隔端末５０００ｍの識別は、例えば、事前に割り当てられた装置ＩＤやネットワークアドレスによって行われる。典型的な例において、属性情報は、各ユーザーの属性として、専門分野（例えば、診療科、専門とする疾患など）、専門度・熟練度、使用可能な言語の種別などを含む。
【０３８７】
選択部４１２０が属性情報を参照する場合、眼科撮影装置２０００−ｉｔ、端末３０００−ｔ、又は遠隔端末５０００ｍから送信される通信要求は、属性に関する情報を含んでいてよい。例えば、眼科撮影装置２０００−ｉｔから送信される読影要求（つまり、診断要求）は、次のいずれかの情報を含んでいてよい：（１）撮影モダリティの種別を示す情報；（２）画像の種別を示す情報；（３）疾患名や候補疾患名を示す情報；（４）読影の難易度を示す情報；（５）眼科撮影装置２０００−ｉｔ及び／又は端末３０００−ｔのユーザーの使用言語を示す情報。
【０３８８】
このような読影要求を受信した場合、選択部４１２０は、この読影要求と記憶部４１１０に記憶された属性情報とに基づいて、いずれかの遠隔端末５０００ｍを選択することができる。このとき、選択部４１２０は、読影要求に含まれる属性に関する情報と、記憶部４１１０に記憶された属性情報に記録された情報とを照合する。それにより、選択部４１２０は、例えば、次のいずれかの属性に該当する医師（又はオプトメトリスト）に対応する遠隔端末５０００ｍを選択する：（１）当該撮影モダリティを専門とする医師；（２）当該画像種別を専門とする医師；（３）当該疾患（当該候補疾患）を専門とする医師；（４）当該難易度の読影が可能な医師；（５）当該言語を使用可能な医師。
【０３８９】
なお、医師やオプトメトリストと、遠隔端末５０００ｍとの間の対応付けは、例えば、遠隔端末５０００ｍ（又は眼科システム１０００）へのログイン時に入力されたユーザーＩＤによってなされる。
【０３９０】
通信部４２００は、他の装置（例えば、眼科撮影装置２０００−ｉｔ、端末３０００−ｔ、及び遠隔端末５０００ｍのいずれか）との間でデータ通信を行う。データ通信の方式や暗号化については、眼科撮影装置２０００−ｉｔに設けられた通信部（第１実施形態の通信部９）と同様であってよい。
【０３９１】
サーバ４０００は、データ処理部４３００を含む。データ処理部４３００は、各種のデータ処理を実行する。データ処理部４３００は、眼科撮影装置２０００−ｉｔ（特に、スリットランプ顕微鏡）により取得された複数の前眼部画像又は３次元画像を処理することができる。データ処理部４３００は、プロセッサ、主記憶装置、補助記憶装置などを含む。補助記憶装置には、データ処理プログラム等が記憶されている。データ処理部４３００の機能は、データ処理プログラム等のソフトウェアと、プロセッサ等のハードウェアとの協働によって実現される。
【０３９２】
データ処理部４３００は、データ処理部８、データ処理部８Ａ（画像選択部８１、３次元画像構築部８２）、データ処理部８Ｂ（アーティファクト除去部８３、３次元画像構築部８４）、データ処理部８Ｃ（３次元画像構築部８５）、データ処理部８Ｄ（３次元画像構築部８６、画像位置決定部８７）、３次元画像構築部８８（画像領域抽出部８９、画像合成部９０）、データ処理部８Ｅ（３次元画像構築部９１、レンダリング部９２）、データ処理部８Ｆ（歪み補正部９３）、及び、データ処理部８Ｇ（計測部９４）のうちのいずれか１つ以上を含んでいてよい。
【０３９３】
サーバ４０００は、データ処理部４３００により得られたデータを他の装置に提供することができる。例えば、データ処理部４３００が、眼科撮影装置２０００−ｉｔにより取得された複数の前眼部画像から３次元画像を構築した場合、サーバ４０００は、通信部４２００により、この３次元画像を遠隔端末５０００ｍに送信することができる。データ処理部４３００が、眼科撮影装置２０００−ｉｔ又はデータ処理部４３００により構築された３次元画像をレンダリングした場合、サーバ４０００は、通信部４２００により、構築されたレンダリング画像を遠隔端末５０００ｍに送信することができる。データ処理部４３００が、１以上の前眼部画像又は３次元画像に計測処理を適用した場合、サーバ４０００は、通信部４２００により、得られた計測データを遠隔端末５０００ｍに送信することができる。データ処理部４３００が、１以上の前眼部画像又は３次元画像に歪み補正を適用した場合、サーバ４０００は、通信部４２００により、補正された画像を遠隔端末５０００ｍに送信することができる。
【０３９４】
続いて、遠隔端末５０００ｍについて説明する。図３２に例示された遠隔端末５０００ｍは、制御部５０１０と、データ処理部５１００と、通信部５２００と、操作部５３００とを備える。
【０３９５】
制御部５０１０は、遠隔端末５０００ｍの各部の制御を実行する。制御部５０１０は、その他の演算処理を実行可能であってよい。制御部５０１０は、プロセッサ、ＲＡＭ、ＲＯＭ、ハードディスクドライブ、ソリッドステートドライブなどを含む。
【０３９６】
制御部５０１０は表示制御部５０１１を含む。表示制御部５０１１は、表示装置６０００ｍを制御する。表示装置６０００ｍは、遠隔端末５０００ｍに含まれてもよいし、遠隔端末５０００ｍに接続された周辺機器であってもよい。表示制御部５０１１は、被検眼Ｅの前眼部の画像を表示装置６０００ｍに表示させる。前眼部の画像の例として、スリット撮影画像、シャインプルーフ撮影画像、３次元画像のレンダリング画像、正面画像、他のモダリティの画像（ＯＣＴ画像等）、計測結果を表す画像、解析結果を表す画像などがある。
【０３９７】
制御部５０１０はレポート作成制御部５０１２を含む。レポート作成制御部５０１２は、表示制御部５０１１により表示された情報に関するレポートを作成するための各種の制御を実行する。例えば、レポート作成制御部５０１２は、レポートを作成するための画面やグラフィカルユーザーインターフェイス（ＧＵＩ）を表示装置６０００ｍに表示させる。また、レポート作成制御部５０１２は、ユーザーが入力した情報や、前眼部の画像や、計測データや、解析データなどを、所定のレポートテンプレートに入力する。
【０３９８】
〈データ処理部５１００〉
データ処理部５１００は、各種のデータ処理を実行する。データ処理部５１００は、眼科撮影装置２０００−ｉｔ（特に、スリットランプ顕微鏡）により取得された複数の前眼部画像又は３次元画像を処理することができる。また、データ処理部５１００は、サーバ４０００等の他の情報処理装置により構築された３次元画像又はレンダリング画像を処理することができる。データ処理部５１００は、プロセッサ、主記憶装置、補助記憶装置などを含む。補助記憶装置には、データ処理プログラム等が記憶されている。データ処理部５１００の機能は、データ処理プログラム等のソフトウェアと、プロセッサ等のハードウェアとの協働によって実現される。
【０３９９】
データ処理部５１００は、データ処理部８、データ処理部８Ａ（画像選択部８１、３次元画像構築部８２）、データ処理部８Ｂ（アーティファクト除去部８３、３次元画像構築部８４）、データ処理部８Ｃ（３次元画像構築部８５）、データ処理部８Ｄ（３次元画像構築部８６、画像位置決定部８７）、３次元画像構築部８８（画像領域抽出部８９、画像合成部９０）、データ処理部８Ｅ（３次元画像構築部９１、レンダリング部９２）、データ処理部８Ｆ（歪み補正部９３）、及び、データ処理部８Ｇ（計測部９４）のうちのいずれか１つ以上を含んでいてよい。
【０４００】
通信部５２００は、他の装置（例えば、眼科撮影装置２０００−ｉｔ、端末３０００−ｔ、及びサーバ４０００のいずれか）との間でデータ通信を行う。データ通信の方式や暗号化については、眼科撮影装置２０００−ｉｔの通信部と同様であってよい。
【０４０１】
操作部５３００は、遠隔端末５０００ｍの操作、遠隔端末５０００ｍへの情報入力などに使用される。本実施形態では、操作部５３００はレポートの作成に使用される。操作部５３００は、操作デバイスや入力デバイスを含む。操作部５３００は、例えば、マウス、キーボード、トラックボール、操作パネル、スイッチ、ボタン、ダイアルなどを含む。操作部５３００は、タッチスクリーンを含んでもよい。
【０４０２】
本実施形態により奏される効果を説明する。
【０４０３】
眼科システム１０００は、１以上のスリットランプ顕微鏡（眼科撮影装置２０００−ｉｔ）と１以上の情報処理装置（サーバ４０００及び／又は遠隔端末５０００ｍ）とを含む。情報処理装置は、通信回線を介してスリットランプ顕微鏡に接続されており、スリットランプ顕微鏡により取得された被検眼の前眼部の画像を処理する。
【０４０４】
スリットランプ顕微鏡（眼科撮影装置２０００−ｉｔ）は、照明系と、撮影系と、移動機構とを含む。照明系は、被検眼の前眼部にスリット光を照射する。撮影系は、スリット光が照射されている前眼部からの光を導く光学系と、光学系により導かれた光を撮像面で受光する撮像素子とを含む。移動機構は、照明系及び撮影系を移動する移動機構とを含む。照明系の光軸に沿う物面と光学系と撮像面とは、シャインプルーフの条件を満足する。撮影系は、移動機構による照明系及び撮影系の移動と並行して繰り返し撮影を行うことにより前眼部の複数の画像を取得する。
【０４０５】
スリットランプ顕微鏡（眼科撮影装置２０００−ｉｔ）の照明系及び撮影系は、少なくとも角膜前面及び水晶体後面により画成される部位に撮影系のピントが合うように構成されていてもよい。
【０４０６】
照明系は、被検者の体軸方向を長手方向とするスリット光を前眼部に照射するように構成されていてよい。この場合、移動機構は、体軸方向に直交する方向に照明系及び撮影系を移動するように構成されていてよい。
【０４０７】
スリット光の長さは、体軸方向における角膜径以上に設定されていてよい。加えて、移動機構による照明系及び撮影系の移動距離は、体軸方向に直交する方向における角膜径以上に設定されていてよい。
【０４０８】
このような構成を有する本実施形態によれば、少なくとも、第１実施形態と同様の効果が奏される。また、第１実施形態で説明した構成、要素、機能、作用、効果などの任意の事項を、本実施形態に適用することが可能である。
【０４０９】
本実施形態において、スリットランプ顕微鏡（眼科撮影装置２０００−ｉｔ）の撮影系は、第１撮影系と第２撮影系とを含んでいてよい。第１撮影系は、スリット光が照射されている前眼部からの光を導く第１光学系と、第１光学系により導かれた光を第１撮像面で受光する第１撮像素子とを含む。更に、第１撮影系は、照明系及び撮影系の移動と並行して繰り返し撮影を行うことにより第１画像群を取得する。第２撮影系は、スリット光が照射されている前眼部からの光を導く第２光学系と、第２光学系により導かれた光を第２撮像面で受光する第２撮像素子とを含む。更に、第２撮影系は、照明系及び撮影系の移動と並行して繰り返し撮影を行うことにより第２画像群を取得する。また、第１光学系の光軸と第２光学系の光軸とは、互いに異なる向きに配置されている。加えて、物面と第１光学系と第１撮像面とがシャインプルーフの条件を満足し、且つ、物面と第２光学系と第２撮像面とがシャインプルーフの条件を満足する。
【０４１０】
撮影系に含まれる光学系は、反射器と、１以上のレンズとを含んでいてよい。反射器は、スリット光が照射されている前眼部からの光であって、照明系の光軸から離れる方向に進行する光を、照明系の光軸に近づく方向に反射するように構成及び配置される。１以上のレンズは、反射器により反射された光を撮像面に結像させるように構成及び配置される。
【０４１１】
このような構成を有する本実施形態によれば、少なくとも、第２実施形態と同様の効果が奏される。また、第２実施形態で説明した構成、要素、機能、作用、効果などの任意の事項を、本実施形態に適用することが可能である。
【０４１２】
本実施形態において、第１光学系の光軸と第２光学系の光軸とは、照明系の光軸に対して互いに反対の方向に傾斜して配置されていてよい。更に、情報処理装置（サーバ４０００及び／又は遠隔端末５０００ｍ）は、第１撮影系及び第２撮影系により実質的に同時に取得された２つの画像のいずれかにアーティファクトが含まれるか判定し、これら２つの画像のうちの一方の画像にアーティファクトが含まれると判定されたときに他方の画像を選択する画像選択部を含んでいてよい。
【０４１３】
また、情報処理装置（サーバ４０００及び／又は遠隔端末５０００ｍ）は、画像選択部により第１画像群及び第２画像群から選択された画像を含む画像群に基づいて３次元画像を構築する３次元画像構築部を含んでいてよい。
【０４１４】
このような構成を有する本実施形態によれば、少なくとも、第３実施形態と同様の効果が奏される。また、第３実施形態で説明した構成、要素、機能、作用、効果などの任意の事項を、本実施形態に適用することが可能である。
【０４１５】
本実施形態において、情報処理装置（サーバ４０００及び／又は遠隔端末５０００ｍ）は、第１撮影系及び第２撮影系により実質的に同時に取得された２つの画像を比較することによりこれら２つの画像のいずれかにアーティファクトが含まれるか判定し、これら２つの画像のいずれかにアーティファクトが含まれると判定されたときに当該アーティファクトを除去するアーティファクト除去部を含んでいてよい。
【０４１６】
また、情報処理装置（サーバ４０００及び／又は遠隔端末５０００ｍ）は、アーティファクト除去部によりアーティファクトが除去された画像を含む画像群に基づいて３次元画像を構築する３次元画像構築部を含んでいてよい。
【０４１７】
このような構成を有する本実施形態によれば、少なくとも、第４実施形態と同様の効果が奏される。また、第４実施形態で説明した構成、要素、機能、作用、効果などの任意の事項を、本実施形態に適用することが可能である。
【０４１８】
本実施形態において、情報処理装置（サーバ４０００及び／又は遠隔端末５０００ｍ）は、スリットランプ顕微鏡（眼科撮影装置２０００−ｉｔ）により取得された複数の画像に基づいて３次元画像を構築する３次元画像構築部を含んでいてよい。
【０４１９】
このような構成を有する本実施形態によれば、少なくとも、第５実施形態と同様の効果が奏される。また、第５実施形態で説明した構成、要素、機能、作用、効果などの任意の事項を、本実施形態に適用することが可能である。
【０４２０】
本実施形態において、移動機構は、照明系の光軸を回転軸として照明系及び撮影系を一体的に回転する回転機構を含んでいてよい。更に、照明系及び撮影系が第１回転位置に配置されているときに撮影系は複数の画像を取得し、且つ、第１回転位置と異なる第２回転位置に照明系及び撮影系が配置されているときに撮影系は照明系によりスリット光が照射されている前眼部の画像を取得することができる。加えて、３次元画像構築部は、第２回転位置において取得された画像に基づいて複数の画像の相対位置を決定する画像位置決定部を含んでいてよい。
【０４２１】
このような構成を有する本実施形態によれば、少なくとも、第６実施形態と同様の効果が奏される。また、第６実施形態で説明した構成、要素、機能、作用、効果などの任意の事項を、本実施形態に適用することが可能である。
【０４２２】
本実施形態において、３次元画像構築部は、スリットランプ顕微鏡（眼科撮影装置２０００−ｉｔ）により取得された複数の画像のそれぞれから、スリット光の照射領域に対応する画像領域を抽出する画像領域抽出部と、画像領域抽出部により複数の画像からそれぞれ抽出された複数の画像領域を合成して３次元画像を構築する画像合成部とを含んでいてよい。
【０４２３】
画像領域抽出部は、スリットランプ顕微鏡（眼科撮影装置２０００−ｉｔ）により取得された複数の画像のそれぞれから、スリット光の照射領域及び前眼部の所定部位の双方に対応する画像領域を抽出するように構成されていてよい。
【０４２４】
所定部位は、角膜前面及び水晶体後面により画成される部位であってよい。
【０４２５】
このような構成を有する本実施形態によれば、少なくとも、第７実施形態と同様の効果が奏される。また、第７実施形態で説明した構成、要素、機能、作用、効果などの任意の事項を、本実施形態に適用することが可能である。
【０４２６】
本実施形態において、情報処理装置（サーバ４０００及び／又は遠隔端末５０００ｍ）は、３次元画像をレンダリングしてレンダリング画像を構築するレンダリング部を含んでいてよい。
【０４２７】
３次元画像に対して断面が指定されたとき、レンダリング部は、３次元画像を当該断面で切断して３次元部分画像を構築することができる。
【０４２８】
３次元画像に対して断面が指定されたとき、レンダリング部は、当該断面を表す２次元断面画像を構築することができる。
【０４２９】
３次元画像に対してスライスが指定されたとき、レンダリング部は、当該スライスに対応する３次元スライス画像を構築することができる。
【０４３０】
このような構成を有する本実施形態によれば、少なくとも、第８実施形態と同様の効果が奏される。また、第８実施形態で説明した構成、要素、機能、作用、効果などの任意の事項を、本実施形態に適用することが可能である。
【０４３１】
本実施形態において、情報処理装置（サーバ４０００及び／又は遠隔端末５０００ｍ）は、照明系の光軸と撮影系の光軸とがなす角度である光軸角度に起因する歪みを補正するための処理を、スリットランプ顕微鏡（眼科撮影装置２０００−ｉｔ）により取得された複数の画像のうちの少なくとも１つに適用する歪み補正部を含んでいてよい。
【０４３２】
撮影系に含まれる光学系の光軸は、照明系の光軸に対して、照明系の光軸に沿う第１方向及びスリット光の長手方向に沿う第２方向の双方に直交する第３方向に傾斜して配置されていてよい。この場合、歪み補正部は、第１方向及び第２方向の双方を含む平面における歪みを補正するための処理を実行することができる。
【０４３３】
歪み補正部は、所定の基準角度と光軸角度とに基づき設定された補正係数を予め記憶しており、当該補正係数に基づいて歪みを補正するための処理を実行するように構成されていてよい。
【０４３４】
このような構成を有する本実施形態によれば、少なくとも、第９実施形態と同様の効果が奏される。また、第９実施形態で説明した構成、要素、機能、作用、効果などの任意の事項を、本実施形態に適用することが可能である。
【０４３５】
本実施形態において、情報処理装置（サーバ４０００及び／又は遠隔端末５０００ｍ）は、スリットランプ顕微鏡（眼科撮影装置２０００−ｉｔ）により取得された複数の画像のうちの少なくとも１つを解析することにより所定の計測値を求める第１計測部を含んでいてよい。
【０４３６】
また、本実施形態において、情報処理装置（サーバ４０００及び／又は遠隔端末５０００ｍ）は、３次元画像構築部により構築された３次元画像を解析することにより所定の計測値を求める第２計測部を含んでいてよい。
【０４３７】
このような構成を有する本実施形態によれば、少なくとも、第１０実施形態と同様の効果が奏される。また、第１０実施形態で説明した構成、要素、機能、作用、効果などの任意の事項を、本実施形態に適用することが可能である。
【０４３８】
本実施形態において、スリットランプ顕微鏡（眼科撮影装置２０００−ｉｔ）は、撮影系による複数の画像の取得と並行して前眼部を固定位置から動画撮影する動画撮影系を含んでいてよい。
【０４３９】
更に、スリットランプ顕微鏡（眼科撮影装置２０００−ｉｔ）は、動画撮影系により取得される動画像を解析して被検眼の運動を検出する運動検出部を含んでいてよい。
【０４４０】
加えて、スリットランプ顕微鏡（眼科撮影装置２０００−ｉｔ）は、運動検出部からの出力に基づいて移動機構を制御する移動制御部を含んでいてよい。
【０４４１】
このような構成を有する本実施形態によれば、少なくとも、第１１実施形態と同様の効果が奏される。また、第１１実施形態で説明した構成、要素、機能、作用、効果などの任意の事項を、本実施形態に適用することが可能である。
【０４４２】
〈その他の事項〉
以上に説明した実施形態は本発明の典型的な例示に過ぎない。よって、本発明の要旨の範囲内における任意の変形（省略、置換、付加等）を適宜に施すことが可能である。
【０４４３】
第１〜第１２実施形態のいずれか１つ又はいずれか２以上の組み合わせに係る処理をコンピュータに実行させるプログラムを構成することが可能である。また、第１〜第１２実施形態のいずれか１つ又はいずれか２以上の組み合わせに対して本発明の要旨の範囲内における任意の変形を適用することによって実現される処理をコンピュータに実行させるプログラムを構成することが可能である。
【０４４４】
更に、このようなプログラムを記録したコンピュータ可読な非一時的記録媒体を作成することが可能である。この非一時的記録媒体は任意の形態であってよく、その例として、磁気ディスク、光ディスク、光磁気ディスク、半導体メモリなどがある。
【０４４５】
本発明は、第１〜第１２実施形態のいずれか１つ又はいずれか２以上の組み合わせにより実現される方法を含む。また、第１〜第１２実施形態のいずれか１つ又はいずれか２以上の組み合わせに対して本発明の要旨の範囲内における任意の変形を適用することによって実現される方法も、本発明に含まれる。
【符号の説明】
【０４４６】
１  スリットランプ顕微鏡
２  照明系
３  撮影系
４  光学系
５  撮像素子
６  移動機構
７  制御系
８  データ処理部
９  通信部
【図１】
2019213729.tif 000003
【図２Ａ】
2019213729.tif 000004
【図２Ｂ】
2019213729.tif 000005
【図３】
2019213729.tif 000006
【図４】
2019213729.tif 000007
【図５】
2019213729.tif 000008
【図６】
2019213729.tif 000009
【図７】
2019213729.tif 000010
【図８】
2019213729.tif 000011
【図９】
2019213729.tif 000012
【図１０】
2019213729.tif 000013
【図１１】
2019213729.tif 000014
【図１２】
2019213729.tif 000015
【図１３】
2019213729.tif 000016
【図１４】
2019213729.tif 000017
【図１５】
2019213729.tif 000018
【図１６】
2019213729.tif 000019
【図１７】
2019213729.tif 000020
【図１８】
2019213729.tif 000021
【図１９Ａ】
2019213729.tif 000022
【図１９Ｂ】
2019213729.tif 000023
【図２０】
2019213729.tif 000024
【図２１Ａ】
2019213729.tif 000025
【図２１Ｂ】
2019213729.tif 000026
【図２２】
2019213729.tif 000027
【図２３】
2019213729.tif 000028
【図２４】
2019213729.tif 000029
【図２５】
2019213729.tif 000030
【図２６】
2019213729.tif 000031
【図２７】
2019213729.tif 000032
【図２８】
2019213729.tif 000033
【図２９】
2019213729.tif 000034
【図３０】
2019213729.tif 000035
【図３１】
2019213729.tif 000036
【図３２】
2019213729.tif 000037